(57)【要約】  ポータブルデバイス充電器用のリマインダシステムは、充電器が置き忘れられそうな可能性が高い時を判断するように設計される。リアルタイムで行うことができる検出は、実施形態に応じて、充電器からのポータブルデバイスの切断、および／または充電器もしくは充電器アダプタのワイヤレス圏外へのポータブルデバイスの移動に関することがあり得る。いくつかの変形形態では、報知の開始は、切断を検出した後、所定の期間の満了など所定の基準が満たされるまで暫定的に延期される。あるいは、基準は、ポータブルデバイスとアダプタまたは充電器との距離に基づく圏外状態の検出とし得る。いくつかの実施形態では、検出およびリマインダ送出は、プラグイン壁アダプタまたは充電器自体など１つのユニットに組み込まれる。アダプタは、特定の型またはモデルの充電器に特殊化されたものではなく、汎用のものにすることができる。システムは、不快感を生じず、充電器接続ステータス、節電、および停電を見定めることができる。【選択図】図１
2013537008.tif 000002
【特許請求の範囲】
【請求項１】
ポータブルデバイス（３２８）を充電するために接続可能なユニットであって、ポータブルデバイスバッテリ充電器（３１６）によって充電可能なバッテリが前記充電器から切断されているときに、前記充電器の置き忘れを防止するように構成されたユニットにおいて、
前記切断を検出するように構成された検出器（３４４）と、
前記充電器からの前記バッテリの切断の検出に応答して、かつ前記置き忘れを防止するために、リマインダを送出するように構成された通知モジュール（３４８）と
を備えることを特徴とするユニット。
【請求項２】
請求項１に記載のユニットにおいて、前記検出が、前記切断（３３２）に応答してリアルタイムで行われることを特徴とするユニット。
【請求項３】
請求項１に記載のユニットにおいて、電源コンセントに直接接続可能なアダプタ（３０４）として実装されることを特徴とするユニット。
【請求項４】
請求項３に記載のユニットにおいて、前記コンセント（３０８）から前記充電器に電力を供給するように構成されることを特徴とするユニット。
【請求項５】
請求項３に記載のユニットにおいて、前記送出が、前記コンセントから電力供給するために前記充電器が接続された状態であること（３２０）を条件とすることを特徴とするユニット。
【請求項６】
請求項３に記載のユニットにおいて、前記コンセントが壁コンセントであることを特徴とするユニット。
【請求項７】
請求項１に記載のユニット（３１８）において、前記充電器を備えることを特徴とするユニット（３１８）。
【請求項８】
請求項７に記載のユニットにおいて、前記送出が、電源コンセントから電力供給するために前記充電器が接続されていること（Ｓ７４０）を前記充電器が検出することの影響を受けることを特徴とするユニット。
【請求項９】
請求項１に記載のユニットにおいて、前記送出が、さらに、前記ユニットと前記ポータブルデバイスとの距離が所定のしきい値を超えたこと（Ｓ１３３５）に応答することを特徴とするユニット。
【請求項１０】
請求項９に記載のユニットにおいて、さらに、Ｂｌｕｅｔｏｏｔｈ（商標）技術と無線周波数識別（ＲＦＩＤ）（１０３５）の少なくとも一方を使用して前記距離を検出するように構成されることを特徴とするユニット。
【請求項１１】
請求項９に記載のユニットにおいて、前記送出が、前記超過にリアルタイムで応答することを特徴とするユニット。
【請求項１２】
請求項１に記載のユニットにおいて、前記送出が、さらに、前記充電器からの切断後に始まる所定の期間の満了（Ｓ１３２５）に応答することを特徴とするユニット。
【請求項１３】
請求項１２に記載のユニットにおいて、前記送出が、前記満了にリアルタイムで応答することを特徴とするユニット。
【請求項１４】
請求項１に記載のユニットにおいて、前記送出が、電源コンセントから電力供給するために前記ユニットが接続された状態であること（Ｓ７３０）を条件とすることを特徴とするユニット。
【請求項１５】
請求項１４に記載のユニットにおいて、さらに、前記状態を検出するように構成された係合検出器（２０８）を備えることを特徴とするユニット。
【請求項１６】
請求項１に記載のユニットにおいて、前記切断が、前記バッテリが取り付けられているポータブルデバイスを前記充電器から取り外すこと（３３２）によって行われることを特徴とするユニット。
【請求項１７】
請求項１６に記載のユニットにおいて、前記取外しが、前記バッテリ（３３６）が取り付けられている前記ポータブルデバイスを前記充電器から抜くことによって行われることを特徴とするユニット。
【請求項１８】
請求項１に記載のユニットにおいて、前記切断が、前記ポータブルデバイスのバッテリの電気的切断を含むことを特徴とするユニット。
【請求項１９】
請求項１に記載のユニットにおいて、プラグインユニット（３１２）として実装されることを特徴とするユニット。
【請求項２０】
請求項１に記載のユニットにおいて、前記ポータブルデバイスが、ハンドヘルドデバイス（３２８）であることを特徴とするユニット。
【請求項２１】
請求項１に記載のユニットにおいて、前記モジュールへの前記切断の通信がリアルタイムで行われるように構成されることを特徴とするユニット。
【請求項２２】
請求項１に記載のユニットにおいて、
ａ）前記充電器と、
ｂ）前記充電器に電力供給するためのアダプタと
の少なくとも一方が、電源コンセントから電力を受け取るために差し込まれている（Ｓ７３０、Ｓ７４０、３１８）場合にのみ前記送出を行うように設計されることを特徴とするユニット。
【請求項２３】
請求項１に記載のユニットにおいて、前記デバイスとは別個のユニット（３１８）であることを特徴とするユニット。
【請求項２４】
ポータブルデバイスのバッテリがポータブルデバイスバッテリ充電器から切断されているときに、それ自体の置き忘れを防止するように構成されたポータブルデバイスバッテリ充電器において、前記充電器からの切断を前記充電器が検出したことに応答して、かつ前記置き忘れを防止するためにリマインダを送出するように構成され、かつ前記切断（３４４）を独立して検出するように構成されることを特徴とするポータブルデバイスバッテリ充電器。
【請求項２５】
請求項２４に記載の充電器において、前記送出が、電力供給のために前記デバイスが前記充電器に接続されていないことを前記充電器が検出する（Ｓ７７０）ことの影響を受けることを特徴とする充電器。
【請求項２６】
電源コンセントに直接接続可能なアダプタであって、ポータブルデバイスバッテリがポータブルデバイスバッテリ充電器から切断されているときに、前記充電器の置き忘れを防止するように構成されたアダプタにおいて、
前記充電器からの前記バッテリの切断の検出に応答して、かつ前記置き忘れを防止するために、リマインダ（１３８）を送出するように構成された通知モジュールを備える
ことを特徴とするアダプタ。
【請求項２７】
請求項２６に記載のアダプタにおいて、特定のタイプのポータブルデバイスプラグイン充電器と共に使用するように特殊化されたものではなく、汎用のものとして構成されることを特徴とするアダプタ。
【請求項２８】
バッテリ充電器の置き忘れを防止するように構成されたユニットであって、電源コンセントから、充電のために接続されたポータブルデバイスに電力を供給するように構成され、かつ前記接続の途絶に応答して、ユーザへの報知の開始を遅延する（Ｓ１３２５）ように構成されることを特徴とするユニット。
【請求項２９】
請求項２８に記載のユニットにおいて、前記遅延が、所定の時間長にわたる（Ｓ１３２０、Ｓ１３２５）ことを特徴とするユニット。
【請求項３０】
請求項２８に記載のユニットにおいて、前記遅延を行うようにリマインダをスケジュールする（Ｓ１２７０）ように構成され、前記スケジューリングが、前記途絶に応答して行われることを特徴とするユニット。
【請求項３１】
請求項３０に記載のユニットにおいて、前記スケジューリングが、前記途絶に応答してリアルタイムで行われる（Ｓ１２４０）ことを特徴とするユニット。
【請求項３２】
請求項２８に記載のユニットにおいて、前記遅延を行うようにリマインダをスケジュールするように構成され、前記スケジューリングが、所定のしきい値（９９０）を表すパラメータにアクセスすることを含むことを特徴とするユニット。
【請求項３３】
請求項２８に記載のユニットにおいて、前記開始が、所定の基準が満たされたとき（Ｓ１４５０）にスケジュールされることを特徴とするユニット。
【請求項３４】
請求項３３に記載のユニットにおいて、さらにワイヤレス送受信機（１３０）を備え、前記基準が、前記送受信機と前記充電器によって充電可能な前記デバイスの送受信機との距離が所定のしきい値を満たすかどうか判断することを前記基準の評価が含むようなものであることを特徴とするユニット。
【請求項３５】
請求項２８に記載のユニットにおいて、ポータブルデバイス接続検出器を備え、前記ポータブルデバイス接続検出器が、前記遅延を行うようにリマインダをスケジューリングした後に、前記充電器へのポータブルデバイスの接続を検出するように構成され、前記回路が、さらに、前記接続の前記検出に応答して、前記スケジューリングにおいて生成されている現在のスケジュールを見合わせ、かつ前記途絶の監視を再開することによって、リセットする（Ｓ１４１０）ように構成されることを特徴とするユニット。
【請求項３６】
バッテリ充電器の置き忘れを防止するための回路において、
ポータブルデバイスが前記充電器から切断される切断事象を検出するように構成されたポータブルデバイス切断検出器であって、前記事象の検出がリアルタイムで行われるポータブルデバイス切断検出器と、
前記切断事象に応答して、ユーザへの報知の開始を遅延する（Ｓ１３２０）ように構成された通知モジュールと
を備えることを特徴とする回路。
【請求項３７】
請求項３６に記載の回路において、前記遅延が、所定の時間長にわたる（Ｓ１３２５）ことを特徴とする回路。
【請求項３８】
請求項３６に記載の回路において、所定の距離基準が満たされているかどうか判断するための無線周波数識別（ＲＦＩＤ）質問器（１０３５）を備え、前記回路が、前記基準が満たされた後、前記事象の前記検出後に、スケジュールされたリマインダを開始するように構成されることを特徴とする回路。
【請求項３９】
請求項３６に記載の回路において、前記モジュールが、さらに、前記開始時に、リマインダの送出して開始するかどうか判断するように構成される（Ｓ１３１０）ことを特徴とする回路。
【請求項４０】
請求項３９に記載の回路において、前記判断が、報知の前記開始時に行われ、前記開始がスケジュールされている（Ｓ１２７０）ことを特徴とする回路。
【請求項４１】
請求項３９に記載の回路において、前記判断が、前記切断事象（Ｓ１３４０）の後の時点で、前記充電器の接続ステータスに基づくことを特徴とする回路。
【請求項４２】
請求項４１に記載の回路において、さらに、ポータブルデバイス接続存在検出器（４１０）を備え、前記ポータブルデバイス接続存在検出器（４１０）が、前記後の時点で、前記回路によって、前記充電器によって充電されるように前記充電器へのポータブルデバイスの接続が成されているかどうか検出するように構成され、前記ステータスが、前記ポータブルデバイス接続存在検出器による前記検出の結果を表すことを特徴とする回路。
【請求項４３】
請求項４１に記載の回路において、さらに電源接続存在検出器を備え、前記電源接続存在検出器が、充電用の前記充電器に接続可能なポータブルデバイスを充電するために、電力を受け取るための前記充電器の外部の電源への前記充電器の接続が存在するかどうか検出するように構成され、前記ステータスが、前記電源接続存在検出器（４２０）による前記検出の結果を表すことを特徴とする回路。
【請求項４４】
請求項４１に記載の回路において、さらに、前記充電器によって充電されるように前記充電器にポータブルデバイスが接続されていることを検出するためのポータブルデバイス接続検出器（１０１５）を備え、前記ステータスが、前記接続が成されている場合に、前記接続を反映することを特徴とする回路。
【請求項４５】
請求項３６に記載の回路において、前記充電器が、前記デバイスに電力供給するように構成されたバッテリ（３３６）を充電するように構成されることを特徴とする回路。
【請求項４６】
請求項３６に記載の回路において、前記デバイスの切断が、前記バッテリを前記充電器（３３２）から電気的に切断することを特徴とする回路。
【請求項４７】
請求項３６に記載の回路において、前記充電器が、電源（３２０、３０８）に差し込まれるように構成されることを特徴とする回路。
【請求項４８】
請求項３６に記載の回路において、前記モジュールがさらに、バッテリの規定の充電状態に基づいて、前記充電器への電力を遮断し、前記報知の可聴成分を抑制する（Ｓ１２６０）ように構成されることを特徴とする回路。
【請求項４９】
請求項３６に記載の回路を備えるアダプタにおいて、前記充電器（３１２、３２０）によって充電するために、前記充電器と電源との両方に着脱可能に電気接続するように構成されることを特徴とするアダプタ。
【請求項５０】
請求項４９に記載のアダプタにおいて、さらに、スイッチ（２２４）を備え、前記スイッチ（２２４）によって、非作動状態であるが、前記アダプタが依然として前記電源から前記充電器に前記電力を搬送できるようにする状態にユーザが前記モジュールを切り替えることができ、また、前記スイッチ（２２４）によって、前記モジュールを作動状態に再び切り替えることができることを特徴とするアダプタ。
【請求項５１】
単一の一体型ユニット（３１８）として、請求項３６に記載の回路と、前記充電器とを備えることを特徴とするユーザ警告充電器。
【請求項５２】
請求項３６に記載の回路において、さらに、ａ）電源コンセントの表面（２１１）に面する第１のアダプタ表面（２０９）の、前記コンセント表面に対する位置と、ｂ）第２のアダプタ表面に面するバッテリ充電器の表面（２２０）の、前記第２のアダプタ表面に対する位置との少なくとも一方に基づいて、それに対応して前記コンセントまたは前記充電器が前記アダプタに接続されているかどうか検出するように構成された係合検出器を備え、前記通知モジュールが、それに対応して前記コンセントまたは前記充電器がそのように接続されていることの検出に応答してリマインダを送出するように構成され、前記遅延が、前記リマインダの開始を遅らせることを特徴とする回路。
【請求項５３】
ポータブルデバイスを充電するために接続可能なユニットであって、前記デバイスのバッテリがポータブルデバイスバッテリ充電器から切断されているときに、前記充電器の置き忘れを防止するように構成されたユニットを製造するための方法において、
前記置き忘れを防止するために、リマインダを送出するための通知モジュールを組み込むように前記ユニットを構成するステップを含み、前記送出が、前記ユニットによる、前記充電器からの前記バッテリの切断の検出（Ｓ１２１０）に応答する
ことを特徴とする方法。
【請求項５４】
ポータブルデバイスのバッテリが前記ポータブルデバイス用のバッテリ充電器から切断されているときに、前記充電器の置き忘れを防止するためのコンピュータソフトウェア製品において、コンピュータプログラム（９００）を具現化するコンピュータ可読媒体を備え、前記コンピュータプログラム（９００）が、複数の操作を行うべく処理装置によって実行可能な命令を含み、前記複数の操作が、
前記製品を構成するユニットによって前記切断を検出する操作と、
前記充電器からの前記バッテリの切断の検出に応答して、かつ前記置き忘れを防止するために、前記ユニットによってリマインダを送出する操作と
を含むことを特徴とするコンピュータソフトウェア製品。
【請求項５５】
ａ）電源コンセントの表面に面する第１のアダプタ表面の、前記コンセント表面に対する位置と、ｂ）第２のアダプタ表面に面するバッテリ充電器の表面の、前記第２のアダプタ表面に対する位置との少なくとも一方に基づいて、それに対応して前記コンセントまたは前記充電器が前記アダプタに接続されているかどうか検出するように構成された係合検出器（３５２）と、
それに対応して前記コンセントまたは前記充電器が前記アダプタに接続されていることの前記検出に応答して、リマインダを送出するように構成された通知モジュールと
を備えることを特徴とするアダプタ。
【請求項５６】
請求項５５に記載のアダプタにおいて、前記モジュールが、さらに、ポータブルデバイスバッテリ充電器によって充電可能なバッテリが前記充電器から切断されていることの検出に応答して、前記充電器の置き忘れを防止するため（Ｓ１２１０）に、前記送出を行うように構成されることを特徴とするアダプタ。
【請求項５７】
請求項５５に記載のアダプタにおいて、前記１つまたは複数が、前記コンセント表面（２１１）に対する前記第１のアダプタ表面の前記位置を備えることを特徴とするアダプタ。
【請求項５８】
請求項５５に記載のアダプタにおいて、前記送出が、前記アダプタとポータブルデバイスとの距離が所定のしきい値を超えたこと（Ｓ１３３５）に応答することを特徴とするアダプタ。
【請求項５９】
充電器の置き忘れを防止するために構成されたユニットであって、ワイヤレス通信によって、検出器とポータブルデバイスとの距離に基づく所定の基準を満たす前記デバイスの移動を検出するように構成された検出器と、前記基準が満たされたことに応答して、リマインダを送出し、それにより前記置き忘れを防止するように構成された通知モジュールと、スイッチ（２２４）とを備え、前記スイッチによって、ユーザが、非作動状態であるが、前記ユニットが依然としてポータブルデバイスを充電するための電力を提供できるようにする状態に前記モジュールを切り替えることができ、かつ、前記スイッチによって、前記モジュールを作動状態に再び切り替えることができ、前記ユニットが、電源コンセントから電力を受け取るように前記ユニットが接続されている場合にのみ前記送出を行うように設計されることを特徴とするユニット。
【請求項６０】
充電器の置き忘れを防止するために構成されたユニットにおいて、ワイヤレス通信によって、検出器とポータブルデバイスとの距離に基づく所定の基準を満たす前記デバイスの移動を検出するように構成された検出器と、前記基準が満たされたことに応答して、リマインダを送出し、それにより前記置き忘れを防止するように構成された通知モジュールとを備え、前記ユニットが、電源コンセントから電力を受け取るために前記ユニットが接続されているかどうか検出する（Ｓ７３０）ように構成され、前記送出が、前記ユニットが接続されているかどうかの前記検出の結果に応答することを特徴とするユニット。
【請求項６１】
請求項６０に記載のユニットにおいて、前記電力受取りのために前記ユニットが接続されている場合（Ｓ７３０）にのみ前記送出を行うように設計されることを特徴とするユニット。
【請求項６２】
請求項６１に記載のユニットにおいて、さらに、前記基準（Ｓ７１０）を満たす前記移動を監視するように構成されることを特徴とするユニット。
【請求項６３】
充電器の置き忘れを防止するために構成されたユニットにおいて、ワイヤレス通信によって、検出器とポータブルデバイスとの距離に基づく所定の基準を満たす前記デバイスの移動を検出するように構成された検出器と、前記基準が満たされたことに応答して、リマインダを送出し、それにより前記置き忘れを防止するように構成された通知モジュールとを備え、前記ユニットが、さらに、電源コンセントからポータブルデバイスバッテリに電力を供給するために前記ユニットがポータブルデバイスに接続されているかどうか検出する（Ｓ７７０）ように構成され、前記送出が、前記ユニットが接続されているかどうかの前記検出の結果に応答することを特徴とするユニット。
【請求項６４】
請求項６３に記載のユニットにおいて、電源コンセントから電力を受け取るために前記ユニットが接続されている場合にのみ前記送出を行うように設計されることを特徴とするユニット。
【請求項６５】
請求項６３に記載のユニットにおいて、前記充電器と前記コンセントの間に着脱可能に接続可能なアダプタ（２０４）として実装されることを特徴とするユニット。
【請求項６６】
ワイヤレス通信によって、検出器とポータブルデバイスとの距離に基づく所定の基準を満たす前記デバイスの移動を検出するように構成された検出器と、前記基準が満たされたことに応答して、リマインダを送出するように構成された通知モジュールとを備え、前記送出が、充電器からのポータブルデバイスバッテリの切断の検出（Ｓ７７０）の影響を受けることを特徴とするユニット。
【請求項６７】
請求項６６に記載のユニットにおいて、電源コンセントから電力を受け取るために前記ユニットが接続されている場合にのみ前記送出を行うように設計されることを特徴とするユニット。
【請求項６８】
充電器の置き忘れを防止するために構成されたユニットにおいて、ワイヤレス通信によって、検出器とポータブルデバイスとの所定の距離に基づく所定の基準を満たす前記デバイスの移動を検出するように構成された検出器と、前記基準が満たされたことに応答して、リマインダを送出し、それにより前記置き忘れを防止するように構成された通知モジュールと、前記ユニットに電力を供給するためのバッテリ（３５６）とを備え、前記ユニットが、電源コンセントから電力を受け取るために前記ユニットが接続されている場合にのみ前記送出を行うように設計されることを特徴とするユニット。
【請求項６９】
請求項６８に記載のユニットにおいて、前記接続が、プラグイン接続（２１１）であることを特徴とするユニット。
【請求項７０】
充電器の置き忘れを防止するために構成されたユニットにおいて、ワイヤレス通信によって、検出器とポータブルデバイスとの距離に基づく所定の基準を満たす前記デバイスの移動を検出するように構成された検出器と、前記基準が満たされたことに応答して、リマインダを送出し、それにより前記置き忘れを防止するように構成された通知モジュールとを備え、前記ユニットが、電源コンセントから電力を受け取るために前記ユニットが接続されている場合にのみ前記送出を行うように設計され、前記ユニットが、前記ユニットが前記電力を受け取っていないとき（３５６）でさえ前記送出を行うように構成されることを特徴とするユニット。
【請求項７１】
デバイスが前記アダプタに差し込まれている状態で、前記デバイスが置き忘れられそうであることを前記デバイスから感知する（Ｓ７７０、Ｓ１２１０、Ｓ１３２５、Ｓ１３３５）ように構成されることを特徴とする壁コンセントアダプタ。
【請求項７２】
請求項７１に記載のアダプタにおいて、前記デバイスが充電器（３１８）を備えることを特徴とするアダプタ。
【請求項７３】
請求項７１に記載のアダプタにおいて、前記デバイスが置き忘れられそうであることの前記感知の後に、電源コンセントに差し込まれているとき（Ｓ１３４０）にのみリマインダ（１３８）を送出するように構成されることを特徴とするアダプタ。
【発明の詳細な説明】
【技術分野】
【０００１】
本発明は、リマインダの送出に関し、より具体的細には、接続ステータスに関するリマインダの送出に関する。
【背景技術】
【０００２】
チェックアウト前に部屋の中を最終確認する旅行者は、しばしば、ポータブルデバイスのバッテリ充電器を置き忘れることがある。そのような充電器は、色が暗いため、特に壁コンセントが家具に隠れた位置にあるときには忘れやすい。充電のために夜のうちにコンセントに差し込んでおいた充電器を、朝になって忘れることは容易に起こり得る。この問題は、旅行者が、それぞれ独自の充電器を有する多様なモバイルデバイスを把握していなければならないということによって悪化する。
【０００３】
典型的には、ホテルには多くの充電器が置き忘れられている。
【０００４】
しかし、関連するプライバシーの問題ならびに時間および労力により、ホテルが客に連絡を取ることはない。また、オンラインサービスによって予約が行われた場合には、ホテルが連絡先の情報を知らないことも多い。
【０００５】
充電器をその所有者に発送して返却するにしても、その充電器が届くまでは所有者はデバイスを充電する手段がなく、デバイスが数日にわたって動作不能になり得る。
【０００６】
当該デバイスに適合する新たな充電器の購入も、不便および遅延を伴うことがある。
【０００７】
本明細書に参照により全体を援用するＥａｓｔｌａｃｋの米国特許出願公開第２０１０／０００１６８４号（本明細書では以後、「Ｅａｓｔｌａｃｋの特許」）に述べられているように、いくつかは壁電流から電気的に切断しているとしても、ほとんどの充電器は、ポータブルデバイスバッテリを充電していないときでさえ電力を消費する。したがって、充電器が発見されて、コンセントから抜かれるまでは、充電器の置き忘れは、エネルギーを浪費していることがよくある。
【０００８】
本明細書に参照により全体を援用する「Ｂａｔｔｅｒｙ  Ｃｈａｒｇｉｎｇ  Ｓｙｓｔｅｍ  ｆｏｒ  Ｐｏｒｔａｂｌｅ  Ｅｌｅｃｔｒｏｎｉｃ  Ｄｅｖｉｃｅｓ」という名称のＳｌｕｓｋｙへの米国特許第６，３７３，２２９号（本明細書では以後、「Ｓｌｕｓｋｙの特許」）は、バッテリが充電器に電気的に接続されているかどうかチェックする。接続されていない場合、Ｓｌｕｓｋｙの特許は、ポータブルデバイスを充電するようにユーザに報知する警報を発生する。
【０００９】
特に、充電を開始したい時についてユーザが事前設定した特定の時間にチェックが行われ、また、切断が実際にいつ行われたかに関わらず、現在の既存の接続に関してチェックが行われる。したがって、Ｓｌｕｓｋｙのデバイスは、充電器が置き忘れられそうなことをユーザに警告するのには効果的ではない。
【００１０】
「Ｉｍｐｒｏｖｅｍｅｎｔ  ｔｏ  Ｒｅｓｐｏｎｓｅ  Ｕｎｉｔｓ」という名称のＺｉｓｈａａｎの米国特許出願公開第２０１０／０２２５４９３Ａ１号（本明細書では以後、「Ｚｉｓｈａａｎ」）は、ユーザの位置の変化に関連付けて、荷物に詰めるべき１つまたは複数の物品に特有のユーザ警告信号を送出するトラベルパッキング補助システムを開示する。検出器が、物品がトラベル使用モードである時を検出する。
【００１１】
充電器と、充電器によって充電可能なポータブルデバイスとの両方を備えるＺｉｓｈａａｎの実施形態では、検出器は、とりわけ、充電器がポータブルデバイスから切り離された時を検出する。
【００１２】
移動電話などのデバイスと、充電器とが、どちらもワイヤレス送受信機を有し、デバイスは、トラベルモードを検出する。デバイスは、トラベルプランに関して、スケジューリング情報を入力するようにユーザに促すためのユーザインターフェースを備える。
【発明の概要】
【００１３】
報知用のシステムは、多くの携帯情報端末（ＰＤＡ）の場合と同様に、事象または対象物に関して、報知すべき特定の状況、または特定の時間をユーザが事前設定することをしばしば必要とする。
【００１４】
しかし、問題点として、システムに入力された特定の時間は、トラベルプランが変わる場合には効果的でなくなることがあり、プランの変更を記録する手間がユーザに生じる。また、非常の多くの「偽陽性」、すなわち、ユーザにとって煩わしく不要と感じられることがあるリマインダを送出する傾向もある。
【００１５】
充電器によって充電可能なモバイル電子デバイスまたはポータブル電子デバイスに関するリマインダシステムは、ユーザが着用する、またはユーザが携帯するデバイスによって、保護すべき対象物が離れすぎていることをワイヤレスで検出することに依拠して利用可能である。
【００１６】
これらのプロトコルは、充電器を置き忘れそうなユーザに報知するという目的には十分ではない。
【００１７】
これに関して、大抵、置き忘れられた充電器は、壁コンセントに差し込まれたままであることがあり、充電器が充電していたデバイスは取り外されている。したがって、第１に、コンセントに差し込まれていない場合には、置き忘れられる可能性は低く、リマインダが必要かどうか、または望まれるかどうかは疑わしい。
【００１８】
しかしながら、多くの既存のシステムでは、対象物、すなわち典型的にはバッテリを有するポータブル電子デバイスが充電のために現在差し込まれているか否かに関わらず、リマインダが送出される。
【００１９】
第２に、少なくとも、電子デバイスは一般に、他のデバイスを充電するためには接続されないので、リマインダは、この接続ステータスを考慮せずに送出される。しかし、充電器の場合、充電されるデバイスに依然として取り付けられている状態で旅行者が置き忘れることはめったにない。したがって、この場合にもリマインダは必要ない。
【００２０】
誤警報に関して、ちょうど旅行者が慌てて出かけようとしているときにそのような誤警報が生じることがしばしばある。
【００２１】
あるいは、旅行者が警報に気付かないことがある。旅行客がホテルを出て朝食、昼食、夕食、ビジネス会議、または社交に出かける度にリマインダが送出されると、その旅行客は、もし気付いていればチェックアウト時にポータブル電子デバイスを取りに戻っていたはずなのに、自分が受けた実際の通知を無視するという結果を招き得る。
【００２２】
誤警報の問題と同じ問題が、充電器に関して存在する。
【００２３】
上述したＺｉｓｈａａｎの出願は、充電器を置き忘れるのを防止するための手段を含むトラベルパッキング補助システムを開示するが、特に充電器に関係する問題のいくつかに具体的に対処できない。
【００２４】
上述したＺｉｓｈａａｎの実施形態は、例えば、ポータブルデバイスからの充電器の切離しを検出するが、Ｚｉｓｈａａｎは、リマインダの開始前に、充電器が壁コンセントに差し込まれているかどうか考慮することは開示または示唆していない。ユーザがデバイスを「プラグイン」ステータスに回復させて、それにより警報を回避することができる「猶予期間」も提供されていない。所定の長さの猶予期間などの余地をユーザに与えることが望ましく、その期間には、リマインダとして働く信号、例えば警報、メッセージ受信可聴音、または画面上のプロンプトによって妨げられることなく、デバイスを差し込む、抜く、および移動させることが望ましい。
【００２５】
また、Ｚｉｓｈａａｎにおけるように、旅行者のスケジュールの変更に常に注意して、それに従って入力パラメータを更新する必要があるという上述した問題もある。旅行者が変更についていくのは、支援デバイスを用いずに充電器を忘れないようにしておくことよりも難しいことがある。
【００２６】
さらに、Ｚｉｓｈａａｎのように、ユーザの移動をスケジュールおよび追跡するために携帯情報端末（ＰＤＡ）またはＰＤＡのような機能に依拠すると、例えば別個の移動電話が使用される場合には、さらにもう１つポータブルデバイスを携帯しなければならないという負担を旅行者に課す。
【００２７】
また、Ｚｉｓｈａａｎでは、ユーザは、ＰＤＡまたはＰＤＡのようなポータブルデバイスでのユーザインターフェースを提供するソフトウェアアプリケーションを入手しなければならないことに留意されたい。
【００２８】
また、各充電器は、専用のものである場合には、ワイヤレス通信および警報機能を個別に備えなければならない。
【００２９】
簡便であり、自動であり、選択的に不快感を生じないようにするプロトコルが必要である。例えば、充電器がポータブルデバイスを充電しているときにユーザがどこかへ出かけようとしているときには、報知を見合わせるべきである。しかしながら、デバイスまたは方法は、充電器の紛失が起こり得る状況では、充電器を置き忘れそうな旅行中のユーザに速やかに報知するのに効果的であるべきである。任意選択で、デバイスまたは方法は、リマインダの必要性、不快感のレベル、停電事象、およびその後生じる事象を見定めることもできる。また、デバイスまたは方法は、ユーザが、その時点で出かけるつもりがないときに単にデバイスを差し込む、抜く、または移動させる場合には、リマインダの送出を遅延することもできる。さらに、デバイスまたは方法は、充電器がコンセントに差し込まれているが充電を行っていないときにはエネルギーを節約するように努め、そのようなエネルギー節約機能をそれ自体組み込む充電器に適合することがある。さらに、デバイスまたは方法は、特定のタイプのポータブルデバイスプラグイン充電器と共に使用するように特殊化されたものではなく、汎用のものにすることができる。
【００３０】
本発明は、従来技術の上述した欠点の１つまたは複数に対処することに向けられている。
【００３１】
本発明の一態様によれば、ユニットが、ポータブルデバイスを充電するために接続可能であり、ポータブルデバイスバッテリ充電器によって充電可能なバッテリが充電器から切断されているときに、充電器の置き忘れを防止するように構成される。このユニットは、切断を検出するように構成された検出器を含む。このユニットは、さらに、充電器からのバッテリの切断の検出に応答して、置き忘れを防止するために、リマインダを送出するように構成された通知モジュールを含む。
【００３２】
別の態様によれば、ポータブルデバイスバッテリ充電器が、ポータブルデバイスのバッテリが充電器から切断されているときに、それ自体の置き忘れを防止するように構成される。充電器は、充電器からの切断を充電器が検出したことに応答して、置き忘れを防止するためにリマインダを送出するように構成される。充電器は、独立して切断を検出する。
【００３３】
さらなる態様によれば、アダプタは、電源コンセントに直接接続可能であり、ポータブルデバイスバッテリがポータブルデバイスバッテリ充電器から切断されているときに、充電器の置き忘れを防止するように構成される。このアダプタは、充電器からのバッテリの切断の検出に応答して、置き忘れを防止するために、リマインダを送出するように構成された通知モジュールを含む。
【００３４】
さらに別の態様によれば、バッテリ充電器の置き忘れを防止するように構成されたユニットは、電源コンセントから、充電のために接続されたポータブルデバイスに電力を供給するように構成される。また、このユニットは、接続の途絶に応答して、ユーザへの報知の開始を遅延するように構成される。
【００３５】
他の一態様によれば、バッテリ充電器の置き忘れを防止するための回路が、ポータブルデバイスがバッテリ充電器から切断される切断事象を検出するように構成されたポータブルデバイス切断検出器を含む。この事象の検出は、リアルタイムで行われる。この回路は、切断事象に応答して、ユーザへの報知の開始を遅延するように構成された通知モジュールを含む。
【００３６】
別の態様によれば、ポータブルデバイスを充電するために接続可能なユニットであって、デバイスのバッテリがポータブルデバイスバッテリ充電器から切断されているときに、充電器の置き忘れを防止するように構成されたユニットを製造するための方法が、リマインダを送出し、それにより置き忘れを防止するための通知モジュールを組み込むようにユニットを構成するステップを含む。送出は、ユニットによる、充電器からのバッテリの切断の検出に応答する。
【００３７】
さらなる態様では、アダプタは、ａ）電源コンセントの表面に面する第１のアダプタ表面の、コンセント表面に対する位置と、ｂ）第２のアダプタ表面に面するバッテリ充電器の表面の、第２のアダプタ表面に対する位置との少なくとも一方に基づいて、それに対応してコンセントまたは充電器がアダプタに接続されているかどうか検出するように構成された係合検出器を含む。さらに、アダプタは、それに対応してコンセントまたは充電器がそのように接続されていることの検出に応答して、リマインダを送出するように構成された通知モジュールを含む。
【００３８】
さらに別の態様によれば、充電器の置き忘れを防止するためのユニットは、ワイヤレス通信によって、検出器とポータブルデバイスとの距離に基づく所定の基準を満たすデバイスの移動を検出するように構成された検出器を含む。また、このユニットは、基準が満たされたことに応答して、リマインダを送出し、それにより置き忘れを防止するように構成された通知モジュールを含む。さらに、このユニットはスイッチを含み、スイッチによって、非作動状態であるが、ポータブルデバイスを充電するための電力を前記ユニットが依然として提供できるようにする状態にユーザがモジュールを切り替えることができ、また、スイッチによって、モジュールを作動状態に再び切り替えることができる。このユニットは、電源コンセントから電力を受け取るためにユニットが接続されている場合にのみ送出を行うように設計される。
【００３９】
関連する態様によれば、充電器の置き忘れを防止するためのユニットが、ワイヤレス通信によって、所定の基準を満たすポータブルデバイスの移動を検出するように構成された検出器を含む。基準は、検出器とデバイスとの距離に基づく。さらに、このユニットは、前記基準が満たされたことに応答して、リマインダを送出し、それにより置き忘れを防止するように構成された通知モジュールを含む。このユニットは、電源コンセントから電力を受け取るためにユニットが接続されているかどうか検出するように構成される。送出は、ユニットが接続されているかどうかの検出の結果に応答する。
【００４０】
他の関連する一態様によれば、ユニットは、充電器の置き忘れを防止するように構成される。このユニットは、ワイヤレス通信によって、所定の基準を満たすポータブルデバイスの移動を検出するように構成された検出器を備える。基準は、検出器とデバイスとの距離に基づく。さらに、このユニットは、基準が満たされたことに応答して、リマインダを送出し、それにより置き忘れを防止するように構成された通知モジュールを備える。さらに、このユニットは、電源コンセントからポータブルデバイスバッテリに電力を供給するためにユニットがポータブルデバイスに接続されているかどうか検出するように構成される。送出は、ユニットが接続されているかどうかの検出の結果に応答する。
【００４１】
さらなる関連する一態様によれば、ユニットは、ワイヤレス通信によって、所定の基準を満たすポータブルデバイスの移動を検出するように構成された検出器を含む。基準は、検出器とデバイスとの距離に基づく。また、このユニットは、基準が満たされたことに応答して、リマインダを送出するように構成された通知モジュールを含む。送出は、充電器からのポータブルデバイスバッテリの切断の検出の影響を受ける。
【００４２】
別の関連する態様によれば、充電器の置き忘れを防止するために構成されたユニットが、ワイヤレス通信によって、所定の基準を満たすポータブルデバイスの移動を検出するように構成された検出器を含む。基準は、検出器とデバイスとの所定の距離に基づく。また、このユニットは、基準が満たされたことに応答して、リマインダを送出し、それにより置き忘れを防止するように構成された通知モジュールと、ユニットに電力を供給するためのバッテリとを含む。このユニットは、電源コンセントから電力を受け取るためにユニットが接続されている場合にのみ送出を行うように設計される。
【００４３】
さらなる別の関連する態様によれば、充電器の置き忘れを防止するために構成されたユニットが、ワイヤレス通信によって、所定の基準を満たすポータブルデバイスの移動を検出するように構成された検出器を備える。基準は、検出器とデバイスとの距離に基づく。さらに、このユニットは、前記基準が満たされたことに応答して、リマインダを送出し、それにより置き忘れを防止するように構成された通知モジュールを含む。このユニットは、電源コンセントから電力を受け取るためにユニットが接続されている場合にのみ送出を行うように設計される。このユニットは、ユニットがコンセントから電力を受け取っていないときでさえ送出を行うように構成される。
【００４４】
本発明のさらなる一変形形態によれば、壁コンセントアダプタが、デバイスがアダプタに差し込まれている状態で、デバイスが置き忘れられそうであることをデバイスから感知するように構成される。
【００４５】
以下の図面を参照しながら、新規の充電器アダプタおよび充電器紛失防止方法の詳細を以下にさらに説明する。図面は、正確な縮尺では描かれていない。
【図面の簡単な説明】
【００４６】
【図１】図１は、本発明による、例示的な第１の実施形態の概要を提供する概念図である。
【図２Ａ】図２Ａは、アダプタおよびその接続の例示的な概略図である。
【図２Ｂ】図２Ｂは、アダプタおよびその接続の例示的な概略図である。
【図２Ｃ】図２Ｃは、アダプタおよびその接続の例示的な概略図である。
【図３】図３は、アダプタへのさらなる接続、および第１の実施形態の例示的な概略図である。
【図４】図４は、第１の実施形態の接続／切断検出器の例示的な概略図である。
【図５】図５は、第１の実施形態の通知モジュールの例示的な概略図である。
【図６】図６は、第１の実施形態の動作を例として示すフローチャートである。
【図７】図７は、第１の実施形態の動作を例として示すフローチャートである。
【図８Ａ】図８Ａは、第１の実施形態の動作を例として示すフローチャートである。
【図８Ｂ】図８Ｂは、第１の実施形態の動作を例として示すフローチャートである。
【図８Ｃ】図８Ｃは、第１の実施形態の動作を例として示すフローチャートである。
【図９】図９は、本発明による第２の実施形態の例示的な概略図である。
【図１０】図１０は、第２の実施形態の接続／切断検出器の例示的な概略図である。
【図１１】図１１は、第２の実施形態の通知モジュールの例示的な概略図である。
【図１２】図１２は、第２の実施形態の動作を例として示すフローチャートである。
【図１３Ａ】図１３Ａは、第２の実施形態の動作を例として示すフローチャートである。
【図１３Ｂ】図１３Ｂは、第２の実施形態の動作を例として示すフローチャートである。
【図１３Ｃ】図１３Ｃは、第２の実施形態の動作を例として示すフローチャートである。
【図１４Ａ】図１４Ａは、第２の実施形態の動作を例として示すフローチャートである。
【図１４Ｂ】図１４Ｂは、第２の実施形態の動作を例として示すフローチャートである。
【図１４Ｃ】図１４Ｃは、第２の実施形態の動作を例として示すフローチャートである。
【図１４Ｄ】図１４Ｄは、第２の実施形態の動作を例として示すフローチャートである。
【発明を実施するための形態】
【００４７】
図１は、ワイヤレス検出機能を含む第１の実施形態１００の一例を示す。家１１０を出発する旅行者１０５または充電器紛失防止システムのユーザが、玄関から出ており、ポータブルデバイスバッテリ充電器１１５を家に置き忘れそうになっている。充電器１１５は、拡大図で示される移動電話または携帯電話１２０を充電していたものであることがあり、または任意の他のポータブル機器、例えば、ラップトップ、携帯情報端末（ＰＤＡ）、プリンタ、電子メールコミュニケータ、ページャ、カメラ、カムコーダ、電動歯ブラシなどを充電していたものであることもある。外に出る時、ユーザは、電話１２０にあるＢｌｕｅｔｏｏｔｈ（商標）（本明細書では以後、「ＢＴ」）送受信機１２５を、アダプタ１３２にあるＢＴ送受信機１３０の通信圏外にちょうど持ち運んでおり、アダプタ１３２は、充電器１１５に機械的および電気的に接続されているものとして図示されている。アダプタ１３２の一端は、充電器１１５のプラグを受け取るためのものである。他端は、壁に差し込むためのものである。
【００４８】
アダプタ１３２は、アダプタから離れるポータブルデバイスまたはポータブル電子デバイス、ここでは電話１２０または他のハンドヘルドデバイスの移動を感知する。実際上、アダプタは、ユーザが充電器を置き忘れる可能性を感知する。具体的には、アダプタは、圏外状態１３４への移行、または図１に「Ｘ」で示されるワイヤレス接続１３６の途絶を感知する。アダプタ１３２内部の検出器は、ワイヤレス通信によって、所定の範囲外へのポータブルデバイスの移動を検出するために監視を行うように構成される。より具体的には、２つの送受信機１２５、１３０の間の距離が、通信圏を表す所定のしきい値を超えるとき、圏外状態が始まる。
【００４９】
圏外状態の開始に応答して、アダプタ１３２は、テキストメッセージリマインダ１３８を、ネットワーク１３７を介してワイヤレス伝送で電話１２０に送信する。テキストメッセージ１３８は、「充電器を取ってください」など、両方とも置き忘れられそうになっている充電器１１５とアダプタ１３２に関するもの、または適切であれば、置き忘れられそうになっているアダプタに関するものである。典型的には、テキストメッセージリマインダ１３８に可聴信号が先立ち、または、電話が振動モードである場合には振動が先立ち、これは、テキストメッセージが到着したことを示す。あるいは、リマインダは、触知式など任意の他の形態でよい。
【００５０】
また、圏外状態に応答して、システムは、アダプタ１３２のみが置き忘れられそうになっていることを検出することもできる。
【００５１】
充電器紛失防止アダプタ２０４に関する特定の構成が図２Ａ〜図２Ｃに示されているが、多くの変形形態が可能である。
【００５２】
３ピンアダプタ２０４は、電源として使用するホテルの部屋の壁コンセントなど、電源コンセントに直接接続可能である。アダプタ２０４は、図２Ａの内面図に示されるように、弾性のアダプタ接続トグルボタン２０８を有する。アダプタ接続トグルボタン２０８は、図２Ｂおよび図２Ｃで最もよく見られるように、第１のアダプタ表面２０９から突出している。ボタン２０８は、アダプタ２０４がコンセントに差し込まれるときに、電源コンセント表面２１１によって、ばねの圧力に反して付勢される。具体的には、壁コンセント面２１２が、ボタン２０８を押し込む。アダプタ２０４をコンセントから抜くことで、ボタン２０８が自動的に解放されてその元の位置に戻る。アダプタ２０４は、いくつかの実装形態では、引抜き後に動作できるようにバックアップバッテリを有する。アダプタ２０４は、コンセントに差し込まれているかどうかを、ボタン２０８の状態から感知することができる。代替形態として、アダプタ２０４内部の２つの高抵抗抵抗器を、互いに直列に、かつ負荷に並列に配置することができる。抵抗器間で検出される電圧から、アダプタ２０４がコンセントに差し込まれているかどうか判断することができる。抵抗を極端に高くすると、抵抗器による電力消費が最小限に抑えられる。
【００５３】
弾性の充電器接続トグルボタン２１６は、第２のアダプタ表面２１７から突出し、充電器プラグ２１８から、すなわちバッテリ充電器２２２の表面２２０からの付勢圧力に関して同様に構成されて動作する。
【００５４】
アダプタ２０４は、同様に、充電器接続トグルボタン２１６の検出された「入」または「切」状態から、充電器２２２に接続されているかどうか確かめることができる。あるいは、アダプタ２０４が壁コンセントに差し込まれているとき、電流の測定に基づいて、充電器２２２の接続ステータスを取得することができる。電流は、ポータブルデバイスを充電するために引き込むことができ、および／または充電器内のバッテリ存在インジケータ、例えば発光ダイオード（ＬＥＤ）２２６によって引き込むことができ、発光ダイオード２２６は、バッテリが充電器内に配置されている、または充電器に接続されているときに点灯する。他方、充電のためにデバイスが接続されていない場合、すなわち「無負荷」状態においては、一般に、それでも変換器への小さな電流が存在する。いずれにせよ、無負荷であるか、または負荷がフル充電されているときに電力をシャットダウンするように充電器２２２が設計されていない場合（大抵はそうである）には、低抵抗の直列抵抗器によって電流を測定することができる。シャットダウン機能を有する充電器の一例は、Ｅａｓｔｌａｃｋの特許に記載されている。本明細書で以下に論じるように、アダプタ２０４も、節電シャットダウンを行う機能を備えることができる。低抵抗の直列抵抗器に対する代替形態は、ホールプローブ電流センサである。
【００５５】
ホーム／トラベルモードスイッチ２２４により、ユーザ１０５は、アダプタ２０４を「ホームモード」にすることができ、これは、テキストメッセージリマインダの形態で図１に例示される報知機能を作動停止させる。家では、ユーザ１０５は、充電器２２２を壁に差したままにしておくことを望むことがある。したがって、家で充電器を使用するために、アダプタ２０４を充電器２２２から物理的に切断する必要はない。実際、有利には、節電シャットダウン機能を利用することができる。あるいは、アダプタ２０４は、電力調整機能なしで実装することもできる。
【００５６】
節電シャットダウン機能は、自動的に交流（ＡＣ）をシャットダウンし、これは、本明細書で上述したようにいくつかの充電器が有する機能である。ＡＣがない場合、充電器紛失防止回路または「システム」は、充電のために差し込まれたポータブルデバイスをユーザ１０５が抜いたかどうか検出することができない。したがって、念のため、アダプタ２０４にある発光ダイオード（ＬＥＤ）２２６が、ユーザ１０５に警告するために連続的に点滅する。節電シャットダウンは夜間に行われることがあるので、あまり不快感を生じない点滅するＬＥＤのほうが、可聴信号よりも好ましい。ポータブルデバイスの引抜きが、それが行われたにも関わらず、ＡＣがないために検出されなかったときでさえ、アダプタ２０４は、バックアップ回路によって、朝などユーザが出かけようとする時を検出して、テキストメッセージリマインダ１３８を送信することができる。したがって、リマインダ１３８の送出は、アダプタ２０４が電源コンセントから電力を受け取っていないときでさえ行うことができる。
【００５７】
ＡＣは、ユーザ１０５が節電後再作動スイッチ２２８を押すときに回復することができる。これはまた、点滅を停止させる。
【００５８】
図３は、例示的であり非限定的な例として、本発明の第１の実施形態による充電器紛失防止回路３００の概要を示す。回路３００は、本明細書で上述したように、主として、家から出かけようとしているユーザが壁コンセントに充電器を置き忘れるのを防止するように設計される。回路３００は、例えば、アナログ電子構成要素、ハイブリッド回路、または、任意の形態のＲＡＭ、ＲＯＭ、ＡＳＩＣ、ＰＬＤ、もしくはそれらの組合せを含む集積回路を備えるソリッドステートデバイスとして実装することができ、ソフトウェア、ファームウェア、またはハードウェア、またはそれらの任意の組合せで実装することができる。
【００５９】
回路３００は、充電すべきポータブルデバイスとは別個にプラグインユニットに組み込むことができ、例えば、コンセントへのプラグイン接続を成すためのアダプタ３０４として実装することができる。図３で、アダプタ３０４は、矢印３１２によって示されるように壁コンセント３０８に取外し可能に差し込むことができるものとして示され、また、矢印３２０によって示されるように充電器３１６を取外し可能に受け取ることができ、アダプタ３０４は充電器３１６に着脱可能に接続可能である。
【００６０】
充電器３１６は、携帯情報端末（ＰＤＡ）など、別個のポータブルデバイス３２８に着脱可能に接続可能な端部３２４を有する。着脱可能な接続によって、充電器３１６によって充電可能なポータブルデバイスバッテリ３３６への電気接続３３２が確立され、この電気接続３３２は、ポータブルデバイス３２８に電力供給するように構成される。ポータブルデバイスバッテリ充電器３１６からのバッテリ３３６の切断は、バッテリが取り付けられたポータブルデバイス３２８を充電器から取り外すことによって行われる。ポータブルデバイス３２８は、任意のポータブルデバイス、モバイルデバイス、またはハンドヘルドデバイスでよく、あるいはバッテリでもよい。ポータブルデバイス３２８の切断は、バッテリ３３６を充電器３１６から電気的に切断する。
【００６１】
本発明のいくつかの変形形態では、回路３００を含むアダプタを充電器３１６と一体化して、単一のユニット３１８を形成することができる。一体型の充電器の場合、例えばＤｅＦｅｌｉｃｅ他への米国特許第６，０１４，０１１号に記載されているように、切断は、任意の既知の適切な様式で充電器によって直接検出することができる。充電器と別個のアダプタとの場合と同様に、一体型の充電器は、ポータブルデバイス３２８の切断の検出に応答して、リマインダ１３８を送出し、それによりそれ自体が置き忘れられるのを防止する。
【００６２】
充電器紛失防止回路３００は、データおよび制御バス３４０に取り付けられた、接続／切断検出器３４４と、通知モジュール３４８と、係合検出器３５２と、バックアップバッテリ（図示せず）を含むバックアップ回路３５６と、制御装置３６０と、節電後再作動スイッチ３６４と、ホーム／トラベルモードスイッチ３６８とを含む。
【００６３】
図４に示される接続／切断検出器３４４の一変形形態は、データおよび制御バス３４０に取り付けられた、比較器モジュール４０５と、ポータブルデバイス接続存在検出器４１０と、メモリ４１５と、電源接続存在検出器４２０と、ポータブルデバイスバッテリ充電量検出器４２５とを含む。
【００６４】
メモリ４１５は、現在の電流量読取値４３０と、１つまたは複数の以前の読取値４３５と、基準量４４０とを記憶することができる。さらに、メモリ４１５は、作業記憶域、ならびにデータおよび制御情報のための記憶域（図示せず）を備えることができる。
【００６５】
図５に示されるこの例の通知モジュール３４８は、データおよび制御バス３４０に取り付けられた、マスタとしてサービスするＢｌｕｅｔｏｏｔｈ（商標）モジュール５１０と、ＢＴ接続途絶検出器５２０と、ネットワーク送受信機５３０と、テキストメッセージセレクタ５４０と、ＬＥＤ点滅装置５５０とを含む。
【００６６】
動作時、１つのシナリオによれば、図６で見られるように、ユーザは、構成要素、すなわちアダプタ３０４、充電器３１６、およびポータブルデバイス３２８を任意の順序で一体に接続する。すなわち、アダプタは、ある時点で壁コンセント３０８に差し込まれる。
【００６７】
アダプタ３０４が差し込まれた後（ステップＳ６１０）、ユーザ１０５は、それを電話１２０とＢＴペアリングすることができる。アダプタ３０４には初期ＢＴパスキーが備えられている。差し込まれたアダプタ３０４のＢＴモジュール５１０は、アダプタのＢＴ通信圏内にある電話１２０の表示画面上で見られるように、パスキーの入力を促す。ＢＴ出力クラス２は、約１０メートルの範囲を有する。ユーザ１０５は、提供されたパスキーを入力し、次いで、ＢＴモジュール５１０が電話１２０のＢＴ送受信機１２５とペアリングする。次いで、ＢＴモジュール５１０は、ペアリングした電話１２０にテキストメッセージを送信させる。アダプタ３０４は、受信されたメッセージから電話番号を得て、その電話番号を、後で使用するために宛先として記憶する。特に、アダプタ３０４は、後の時点で、ネットワーク送受信機５３０によって、テキストメッセージセレクタ５４０によって選択されたリマインダをユーザ１０５にテキスト表示することができる。ネットワーク送受信機５３０は、双方向ページャのメッセージ伝送機能を組み込む。したがって、ステップ６２０で、ユーザは、まだ行われていない場合には、任意の順序で、アダプタ３０４を携帯電話１２０とＢＴペアリングし、充電器３１６をアダプタに差し込み、他方の充電器の端部３２４をポータブルデバイス３２８に差し込む。
【００６８】
ＢＴペアリングが形成され、例えば係合検出器３５２によって、ボタン２０８、２１６を用いて、充電器３１６およびアダプタ３０４が差し込まれていることが検出された後（ステップＳ６２０）、アダプタ３０４内にあるＢｌｕｅｔｏｏｔｈ（商標）接続途絶検出器５２０が、電話１２０がＢＴ圏外であるか監視し、すなわち電話へのＢＴ接続が存在しなくなる時を監視する（Ｓ７１０）。携帯電話１２０は、典型的には単独で圏外状態を認識するが、システム３００は、これに依拠する必要はなく、電話を含まない。圏外状態ではＢＴペアリング接続が途絶され、ユーザ１０５は、電話１２０が圏内に入った場合および時に再び入力を促される。その時点で、ユーザ１０５は、アダプタ３０４と電話１２０を容易に再びペアリングすることができる。
【００６９】
圏外への移動の監視（ステップＳ７１０）と同時に、回路３００は、図８Ａで見られるように、充電器による節電シャットダウンの発生を監視する。あるいは、回路３００は、場合によっては、充電器のみが接続されているときに、「無負荷」状態に基づいてそれ自体シャットダウンを実行することを決断する。「無負荷」状態は、現在の電流量読取値４３０をそれぞれの基準量４４０と比較することによって検出可能である。また、充電器３１６への電力を遮断する自動開始式のシャットダウンは、ポータブルデバイスバッテリ充電量検出器によってフル充電状態が検出されたことに応答して行うこともできる（ステップＳ８１０）。いずれにせよ、例示的実装形態における自動開始式のシャットダウンは、リレーを使用し、通常は閉じられているリレーの電機子が、電磁引力によって、ばねの引張力に反して開き、それにより、ＡＣが負荷に流れる経路を遮断する。この開放は、固定接点と磁気係合するように電機子を引っ張り、電機子を開いたままにする。節電後再作動スイッチ３６４の作動が、電機子を磁気係合から機械的に外し、それにより、ばねの引張力がＡＣ電気経路を閉じる。シャットダウン状態は、自動開始式であるか否かに関わらず、充電のためにポータブルデバイス３２８が接続されているかどうかを検出できなくするが、後の時点で、すなわちユーザ１０５が出かけるときに、充電器自体が接続されているかどうかを知らせる機能は妨げない。特に、この第１の実施形態は、バックアップ回路３５６と、弾性の充電器接続トグルボタン２１６の「入」状態を検出する機能を備える係合検出器３５２とを有する。係合検出器３５２は、ボタン２０８、２１６の機械的な付勢または解放によって動作可能なものとして本明細書で上述したが、意図される本発明の範囲はそれに限定されない。より広い文脈では、係合検出器３５２は、接続が例えばピンに依拠するか、または電磁誘導の場合のように電磁式であるかに関わらず、アダプタ２０４および充電器プラグ２１８の接続、または一体型バージョンでは充電器のみの接続に応答するように設計されることがある。接続は、それぞれ、第１のアダプタ表面２３６に対する電源コンセント表面２３２の位置、および第２のアダプタ表面２４０に対するバッテリ充電器表面２２０の位置に基づいて検出することができる。また、アダプタ２０４は、独立型デバイスとして図２に示されているが、壁コンセントに付属されることもある。これは、ヒンジを含むことができ、ヒンジは、コンセントの上方にアダプタを回転させ、それにより係合解除し、または下に回転させて係合させる。ヒンジではなく、係合および係合解除するようにアダプタを摺動させることができるようにするトラックを提供することもできる。
【００７０】
図７に戻ると、電話ＢＴ送受信機１２５が圏外に持ち運ばれたときにワイヤレス接続１４０が途絶されることにより、Ｂｌｕｅｔｏｏｔｈ（商標）接続解消検出器５２０が、ハイブリッド接続１３５がもはや存在していないことを検出した（ステップＳ７１０）後、処理は、電力がシャットダウンされているかどうかに基づいて分岐する（ステップＳ７２０）。電力がシャットダウンされている場合、これは、すぐ上で述べたように、自動開始式の節電シャットダウンまたは外部から課される節電シャットダウンにより行われていることがある。あるいは、シャットダウンは、停電により生じることがあり得る。いずれにせよ、電力がシャットダウンされている場合、アダプタ３０４が依然としてコンセントに差し込まれているかどうか、すなわち電源コンセント３０８から電力供給するためにアダプタが接続された状態であるかどうかクエリが行われる（ステップＳ７３０）。係合検出器３５２は、弾性アダプタ接続トグルボタン２０８の「入」または「切」状態によって、アダプタ３０４がコンセントに差し込まれているかどうか判断することができる。アダプタ２０４が差し込まれていない場合、リマインダを送信する必要はなく、処理はステップＳ６１０に戻る。他方、アダプタ２０４が差し込まれている場合、ＡＣ電力がないため、ポータブルデバイス３２８も差し込まれているかどうかは分からないが、検出された「圏外」ステータスに基づいて、ユーザ１０５が出かけようとしていると仮定される。したがって、念のため、テキストメッセージリマインダ１３８が送出される。充電器３１６が「プラグイン」状態である場合（ステップＳ７４０）、テキストメッセージセレクタ５４０が選択を行い、ＢＴマスタモジュール５１０が、ネットワーク送受信機５３０によって、「充電器およびアダプタを確認してください」とテキスト表示する（ステップＳ７５０）。他方、充電器３１６が「プラグイン」状態でない場合、テキストメッセージセレクタ５４０が選択を行い、ＢＴマスタモジュール５１０が、ネットワーク送受信機５３０によって、「充電器アダプタを確認してください」とテキスト表示する（ステップＳ７６０）。しかし、任意選択で、後者のメッセージを見合わせることもでき、すなわちリマインダ１３８の送出は、コンセント３０８から電力供給するために充電器３１６が接続された状態であることの影響を受けることがある。この時点で、送出されるリマインダ１３８（もしあれば）に関わらず、次いで処理がステップＳ６２０に戻る。次にステップＳ７２０を再び見ると、電力がシャットダウンされていない場合、ポータブルデバイス３２８が接続されているかどうかが分かる、または判断することができる。したがって、アダプタ接続接続ボタン２０８および充電器接続ボタン２１６の「入」または「切」状態に基づいて、ユーザ１０５に通知する必要があるかどうかの判断をより高い信頼性で行うことができる。したがって、電力がシャットダウンされていない場合、ポータブルデバイス接続存在検出器４１０が、ポータブルデバイス３２８が充電器に接続されているかどうか判断する（ステップＳ７７０）。ステップＳ６２０で、ポータブルデバイス３２８が充電器３１６に接続されたので、ステップＳ７７０は、充電器からのポータブルデバイスの切断を検出する。特に、比較器モジュール４０５は、現在の電流量読取値４３０を、ポータブルデバイスを充電するための最小電流レベルを示す基準量４４０と比較する。ポータブルデバイス３２８が接続されている場合、ユーザ１０５に通知する必要はなく、処理はステップＳ６２０に戻る。他方、接続されていない場合、充電器３１６またはアダプタ２０４が差し込まれていることが係合検出器３５２によって検出された場合、通知が必要である可能性がより高いが、処理は、ステップＳ７３０で始まる前述の論理に従う。
【００７１】
その一方で、途絶されたワイヤレス接続の監視を始め、図８Ａに戻って、節電シャットダウンが行われている場合（ステップＳ８１０）には、図８Ｂから分かるように、ＬＥＤ点滅装置５５０が始動して、ＬＥＤ２２６を点滅させる（ステップＳ８２０）。実際上、この瞬間に、リマインダ１３８の可聴成分は抑制される。また、節電後再作動スイッチ３６４の作動、すなわち押圧の監視が始まる（ステップＳ８３０）。
【００７２】
シャットダウンが停電による場合、ＬＥＤ２２６は点滅されない。結局、ここではユーザ１０５が出かけようとしている示唆がなく、停電は一時的であることがあり、ユーザが出かけようとしていることが検出される時までに電力が回復されることがある。その時までに電力が回復される場合には、その時点で、ステップＳ７７０において、ポータブルデバイス３２８が切断されているかどうかに関して最終的な判断を行うことができる。したがって、その時点で、リマインダを送出するかどうかについて、高い信頼性の判断を行うことができる。実際上、ここでは、早まったものとなり得るリマインダを送出せずに、回路３００は、リマインダを送出するかどうかに関する決定をその時点まで延期する。
【００７３】
別の可能性は、シャットダウンが外部から課される節電シャットダウンであること、すなわち例えば充電器３１６によって課される節電シャットダウンであることである。外部から課される節電シャットダウンは、バッテリがフル充電されたことにより行うことができ、または、例えば、節電シャットダウンの機能を有する未接続の充電器が、コンセントに差し込まれたアダプタ２０４に残っているときに、「無負荷」での節電シャットダウンにより行うことができる。
【００７４】
したがって、シャットダウンが、外部から課される節電シャットダウンによる場合には、ポータブルデバイス３２８が接続されているかどうかを依然として検出することができないときにユーザが出かけようとする現実的な可能性がある。したがって、念のため、リマインダが送出される。さらに、念のため、不快感を生じない形ではあるが、ＬＥＤ２２６の点滅などのリマインダがここで開始される。
【００７５】
したがって、ここで、停電の発生を、外部から課される節電シャットダウンの発生から見分けることが望まれる。
【００７６】
ポータブルデバイス接続存在検出器４１０は、電流降下の大きさ、電流降下直前の電流の量、電流降下に至るまでの時間にわたる電流変化に基づいて、区別を行う。Ｅａｓｔｌａｃｋの特許の図７を参照されたい。比較器モジュール４０５は、例えば、最新の現在の電流量読取値４３０を、ポータブルデバイスを充電するための最小電流レベルを示す基準量４４０と比較することができる。また、ポータブルデバイスバッテリ充電量検出器４２５は、ポータブルデバイスバッテリ３３６が充電されている度合い、すなわちバッテリの充電状態を求めるために、１つまたは複数の比較を行うことができる。比較は、最新の現在の電流量読取値４３０と、それぞれ継続して定期的に取られた以前の読取値の１つまたは複数との間で成される。電流量の十分に大きい突然の下降は、特にそれが高い電流量から生じる場合には、停電を示す。他方、フル充電されたバッテリによる節電シャットダウンは、しばしば、電流のゆっくりとした、または漸進的な降下の後に生じ、この降下は、比較的低い電流量からのものである。外部から開始された「無負荷」の節電シャットダウンの場合、最後に検出される電流量は、同様に典型的には比較的低レベルである。したがって、停電が認識可能となる。
【００７７】
あるいは、アダプタ２０４は、負荷に並列に配置された前述した一対の高抵抗の直列抵抗器を備えて実装することができ、その対の間での電圧がないことは、電力がないことを示す。
【００７８】
電流量読取値４３０、４３５に基づいて上述の区別を高い信頼性で行うことができるように、基準量４４０はすべて経験的に導出することができる。
【００７９】
スイッチ３６４を押すことにより、本明細書で上述したように、ＬＥＤ点滅装置５５０が点滅を停止し（ステップＳ８４０）、アダプタのための電力提供機能を回復する。
【００８０】
あるいは、アダプタ２０４は、単にそれをコンセントから抜くことでリマインダが終了されるように設計することができる。リマインダは、例えば、点滅するものなど継続的または周期的なリマインダでよく、またはユーザ１０５にリマインダを通信するための警笛または他のデバイスからのものなど連続的なリマインダでもよい。また、電力提供機能が使用不能になっている場合には、引抜きおよび／またはその後の差込みが、アダプタ２０４の電力提供機能を回復する働きをすることもできる。しかし、少なくとも、回復機能は、スイッチ３６４の必要な作動に応じて行うことができる。これは、安全のために、アダプタの電力送達能力を回復しようとするユーザの意図、および何が起きているかということについてのユーザの暗黙的な理解をより高い信頼性で示唆する。
【００８１】
電源接続存在検出器４２０が、アダプタ２０４が「プラグイン」状態であることを検出した場合（ステップＳ８５０）、処理はステップＳ６２０に戻る。そうではなく、アダプタ２０４が「プラグイン」状態でない、あるいはコンセント３０８からポータブルデバイスバッテリに電力を供給するために接続されていないことが検出された場合、処理はステップＳ６１０に戻る。
【００８２】
停電の場合のリマインダの延期は、任意選択の機能であり、回路３３０は、停電の場合でさえすぐに、ステップＳ８２０のＬＥＤの点滅などリマインダを送出するように形成することもできる。
【００８３】
図２に関連付けて本明細書で簡単に上述したホーム／トラベルスイッチ３６８によって、ユーザ１０５は、非作動状態であるが、アダプタ３０４が電源３０８から充電器３１６に電力を依然として搬送できるようにする状態に通知モジュール３４８を切り替えることができる。同様に、モジュール３４８を再び作動状態に切り替えるために、スイッチ３６８が使用される。
【００８４】
図９は、圏外状態のＢｌｕｅｔｏｏｔｈ（商標）ワイヤレス検出機能を有しない本発明の例示的な変形形態を表す第２の実施形態の概要を示す。これは、ワイヤレス通知も含まないが、それを含むこともできる。さらに、第１の実施形態の係合検出器を含まないが、係合検出器がこの実施形態の一部でもよい。
【００８５】
充電器紛失防止回路９００は、例えば、アナログ電子構成要素、ハイブリッド回路、または、任意の形態のＲＡＭ、ＲＯＭ、ＡＳＩＣ、ＰＬＤ、もしくはそれらの組合せを含む集積回路を備えるソリッドステートデバイスとして実装することができ、ソフトウェア、ファームウェア、またはハードウェア、またはそれらの任意の組合せで実装することができる。回路９００は、アダプタ３０４に組み込むことができ、データおよび制御バス９１０に接続された、制御装置９２０と、接続／切断検出器９３０と、通知モジュール９４０と、バックアップバッテリ（図示せず）を含むバックアップ回路９５０と、ホーム／トラベルモードスイッチ９６０と、メモリ９７０と、節電後再作動スイッチ９８０とを含む。
【００８６】
メモリ９７０は、現在の電流量読取値９８２と、現在の電圧量読取値９８４と、１つまたは複数の以前の読取値９８６と、基準量９８８と、タイミングしきい値９９０とを含むように設計され、また、作業記憶域、ならびにデータおよび制御情報のための記憶域（図示せず）を含む。
【００８７】
図１０に示されるように、接続／切断検出器９３０は、比較器モジュール１００５と、ポータブルデバイス切断検出器１０１０と、ポータブルデバイス接続検出器１０１５と、ポータブルデバイス接続存在検出器１０２０と、電源接続存在検出器１０２５と、ポータブルデバイスバッテリ充電量検出器１０３０と、ワイヤレス送受信機を備える無線周波数識別（ＲＦＩＤ）質問器１０３５とを含む。
【００８８】
図１１は、通知モジュール９４０を示す。通知モジュール９４０は、タイマ１１２０と、警報セレクタ１１４０と、ＬＥＤ点滅装置１１６０とを含む。
【００８９】
使用の際、図１２で見られるように、ユーザ１０５は、まだ差し込まれていない場合には、壁コンセント３０８にアダプタ３０４および充電器３１６を差し込む。（ステップＳ１２０５）。この時点で、または、係合検出器がある場合にはアダプタ３０４および充電器３１６が差し込まれたことが検出された後、ポータブルデバイス接続存在検出器１０２０が、現在の電流量読取値９８２と対応する基準量９８８とを使用して比較器モジュール１００５によって成される比較により、ポータブルデバイス３２８が接続されているかどうか監視する（ステップＳ１２１０）。ポータブルデバイス３２８が接続されていることをポータブルデバイス接続存在検出器１０２０が検出したとき、充電器３１６のステータスがこれを反映し、検出器が、まだ作動されていない場合には通知モジュール９４０を作動させる（ステップＳ１２２０）。
【００９０】
次いで、一体となって、ポータブルデバイス切断検出器１０１０と、ポータブルデバイスバッテリ充電量検出器１０３０と、比較器モジュール１００５とによって、ａ）ポータブルデバイスの切断、ｂ）停電、およびｃ）外部から課される節電シャットダウンのうちの任意の１つの発生の監視が始まる。（ステップＳ１２３０）。事象ａ）、ｂ）、およびｃ）の任意のものが起きた時を識別するために成される比較は、図８に関して本明細書で上述したものと同様である。例えば、さらに上述したように、外部から課される節電シャットダウンの検出は、バッテリ３３６の感知される充電状態に基づくことがある。やはり上述したように、この実施形態、すなわち第２の実施形態は、係合検出器を含まないと仮定される。その結果、停電の発生を、ユーザによるアダプタ３０４の引抜きと区別できない。以下に述べるように、停電の場合には、ＬＥＤの点滅の形態でリマインダを送出することが望ましいことがあるので、同様に、アダプタがトラベルモードであるときの引抜きによってもリマインダが送出される。しかし、生じたＬＥＤの点滅は、ユーザ１０５が節電後再作動スイッチ９８０を押すことによって終了させることができる。あるいは、本明細書で上述したように、第２の実施形態は、係合検出器を備えて実装することができる。その場合、停電をアダプタ３０４の引抜きと区別することができ、アダプタ３０４の引抜きの場合には点滅は生じない。したがって、ユーザ１０５は、アダプタ３０４を抜いた後に、スイッチ９８０を押す必要がなくなる。さらなる代替形態として、アダプタ３０４は、すぐ後に論じる停電ベースのリマインダを生じないように設計することができ、したがって、アダプタ３０４を抜いた後に、スイッチ９８０を押す必要がない。
【００９１】
ステップＳ１２３０で、ポータブルデバイス切断、停電、または節電シャットダウンの検出が存在しない場合、および節電の自動初期化が存在しない場合には（ステップＳ１２５０の「いいえ」の分岐）、監視は、ステップＳ１２３０に戻る分岐に進む。
【００９２】
他方、停電または節電シャットダウンが生じている（ステップＳ１２４０の「いいえ」の分岐、またはＳ１２５０の「はい」の分岐）場合、回路９００は、上の技法によって、ポータブルデバイス３２８が切断されているかどうか検出することがもはやできない。その結果、念のため、不快感を生じないリマインダが送出される（ステップＳ１２６０）。具体的には、例えばこのとき夜間であることがあるので、リマインダを送出する際、警報セレクタ１１４０は、可聴成分を抑制する。リマインダは、第１の実施形態に関連して上述したように、ＬＥＤ点滅装置１１６０によって制御される点滅するＬＥＤ２２６など、可視成分の形態を取ることがある。次いで、処理はステップＳ１２１０に戻る。
【００９３】
しかし、ポータブルデバイス切断検出器１０１０が、ポータブルデバイス３２８の切断、すなわち接続の途絶をリアルタイムで検出した場合（ステップＳ１２４０の「はい」の分岐）、充電器３１６の接続ステータスがこれを反映し、切断事象がリアルタイムで通知モジュール９４０に通信される。同様に、リアルタイムでリマインダ１３８がスケジュールされ、これは、タイミングしきい値９９０の場合には、例えばカウントダウンタイマを設定するためにしきい値にアクセスすることを意味する（ステップＳ１２７０）。実際上、ユーザ１０５への報知の開始は、その開始を遅延するようにスケジュールされる。次いで、図１３Ａまたは図１４Ａ、図１４Ｂに表されるように、それに対応して、１つのプロセスが実行されるか、または２つのサブプロセスが同時に実行される。サブプロセスの実行は、実際上、ユーザ１０５への報知の開始を遅延する。この遅延は、時間基準の場合には、予め定められた猶予期間の形態での余地を提供する。距離基準の場合には、遅延は、距離基準または圏外基準が満たされるまで続く。ステップＳ１３３５、Ｓ１４４０での距離基準は、本明細書では、ＲＦＩＤ検出方法の文脈で上述した。しかし、そうではなく、または追加として、基準は、アダプタ３０４と、Ｂｌｕｅｔｏｏｔｈ（商標）ペアリングしたポータブルデバイスとの距離に適用することができる。あるいは、基準は、例えば超広帯域（ＵＷＢ）またはＩＥＥＥ８０２．１１（Ｗｉ−Ｆｉ）送受信機を使用して、任意の短距離通信のために設計された送受信機間の距離に適用することができる。それに従って、リマインダ１３８の開始は、その開始を遅延するようにスケジュールされる。
【００９４】
図１４Ａ〜図１４Ｄに見られる例示的なリセット実施形態によれば、回路９００は、ユーザ１０５がポータブルデバイス３２８を切断した直後に充電のために再接続したことをリアルタイムで検出した後、リマインダの送出を即時に見合わせるように構成される。これは、猶予期間を利用する。特に、回路９００は、リマインダのスケジューリングによって生成されたスケジュールを即時にリセットし、さらに、ポータブルデバイスの切断の監視を即時に再開する。スケジュールをリセットするために、図１４Ａ、図１４Ｂにさらに見られるように、第１のサブプロセス１４０１は、所定の基準が満たされているかどうか判断している進行中のサブプロセス１４０２を中断する。図１４Ｃにさらに示されるように、進行中のサブプロセス１４０２の一部の１つのバージョン１４０３は、所定の期間が満了したかどうか判断するように実行される。その部分の別のバージョン１４０４は、図１４Ｄに示されるように、ＲＦＩＤタグを備えるポータブルデバイス３２８が、切断後にアダプタ３０４内のＲＦＩＤ質問器１０３５から所定の距離を超えているかどうか判断するように実行される。あるいは、例えば回路９００が充電器内に一体化されている場合には、ＲＦＩＤ質問器１０３５を充電器３１６内部に配設することができる。
【００９５】
さらなる説明を単純にするために、本明細書ではまず、図１３Ａ〜図１３Ｃに見られるリセットなしのバージョンを以下に論じる。
【００９６】
ここで、リマインダがスケジュールされており（ステップＳ１２７０）、所定の基準が満たされた後（ステップＳ１３０５）、ポータブルデバイスがここで再接続されているかどうかクエリが行われ（ステップＳ１３１０）、すなわち充電器３１６の接続ステータスに関してクエリが行われ、それにより、再接続が行われている場合にはリマインダが必要なくなる。
【００９７】
基準は、例えば、時間ベースの基準とすることも距離ベースの基準とすることもできる。
【００９８】
図１３Ｂに見られる時間ベースの基準に関して、まず、変数ＴＯＴＡＬＤＥＬＡＹがゼロに初期化される（ステップＳ１３１５）。変数ＴＯＴＡＬＤＥＬＡＹは、その後、しきい値に達するまで（ステップＳ１３２５）、Δずつ繰り返し増分される（ステップＳ１３２０）。値Δは、例えば１に設定されることがあり、反復は毎秒行われ、しきい値は６である。例示として、ステップＳ１３１０に関して、６秒の遅延によって、例えば可聴リマインダなどの警報を発生させずにポータブルデバイス３２８を抜く、および再接続する、または場合によっては１つのコンセントから別のコンセントに移動させる余地がユーザ１０５に与えられる。
【００９９】
図１３Ｃに示される距離ベースの基準（ここでは時間ベースの基準の代わりに提供されるが、時間ベースの基準に追加することもできる）は、アダプタベースのＲＦＩＤ質問器１０３５と、ポータブルデバイス３２８内のＲＦＩＤタグとの距離に基づく。ポータブルデバイス３２８の移動により、距離ベースのしきい値に達する（これは、ワイヤレス接続１３６の途絶によって明らかになる）と（ステップＳ１３３５）、距離ベースの基準が満たされる。また、距離を繰り返し検出し、しきい値に達するまで、検出された距離を距離ベースのしきい値と比較することによって、この基準を満たすこともできる。システム９００は、基準を満たすポータブルデバイスの移動を監視する。
【０１００】
したがって、例えば、しきい値が１５フィートである場合、可聴警報は、アダプタ３０４またはアダプタと充電器３１６を持たずにユーザ１０５が廊下に出て行くときや、その他、出かけそうなときに、音を発することがある。
【０１０１】
あるいは、リセットバージョンと同様に、例えば回路９００が充電器に組み込まれている場合には、ＲＦＩＤ質問器１０３５を充電器３１６内部に配設することができる。
【０１０２】
それぞれ時間ベースまたは距離ベースの基準が満たされるとき（ステップＳ１３０５）、上述したように、ポータブルデバイス３２８がここで再接続されているかどうかクエリが行われる（ステップＳ１３１０）。
【０１０３】
ポータブルデバイス３２８が再接続されている場合（これは、現在の電流量読取値９８２をそのそれぞれの基準量９９０と突き合わせることによって判断することができる）、処理はステップＳ１２１０に戻る。
【０１０４】
ポータブルデバイス３２８が再接続されていない場合でさえ、ユーザ１０５は、充電器３１６を取りに戻るように報知される必要が必ずしもあるわけではない。電源接続存在検出器１０２５によって設定された充電器接続ステータスに反映されるように、充電器が差し込まれていない場合には、すなわち電源コンセント３０８から電力供給するために充電器が接続された状態になっていない場合（ステップＳ１３４０）には、報知は必要とされない。充電器３１６が差し込まれていない場合、処理はステップＳ１２１０に戻る。
【０１０５】
他方で、充電器３１６が、まだ差し込まれている、あるいはアダプタの外部の電源、例えば電源コンセント３０８から電力を受け取るために接続されている場合には、リマインダの可聴および可視成分が送出される（ステップＳ１３４５）。
【０１０６】
したがって、リマインダ１３８を送出するかどうかの判断は、この実施形態では、スケジュールされた報知の開始時に実施され、充電器３１６の接続ステータスに基づく。
【０１０７】
リマインダ１３８は、リマインダをユーザ１０５に通信するためのデバイスから送出される。
【０１０８】
リマインダ１３８の可視成分は、例えばＬＥＤ２２６の点滅でよく、またはそれを含むことがある。可聴成分は、典型的な家庭用煙警報器で見られるものなど、警報でよく、またはそれを含むことができる。任意選択で、警報セレクタ１１４０の出力に従って、成分の１つのみを実施または作動させることができる。また、特定のタイプのポータブルデバイスに関連付けられる紛失した充電器は、都合良く代わりを用意できないことがある。一方、アダプタ３０４は、より汎用のものであることがある。それにも関わらず、ステップＳ１３４０に関連付けて、充電器３１６が差し込まれていない場合でさえ、アダプタ３０４が差し込まれているかどうかチェックを行い、ユーザ１０５にアダプタを取るように報知することもできる。他方、任意選択で、リマインダ１３８の送出は、コンセント３０８から電力供給するために充電器３１６が接続された状態であることの影響を受けることがある。
【０１０９】
ここで、もう一度、図１４Ａ〜図１４Ｄのリセットバージョンを考察すると、ここで、リマインダがスケジュールされており（ステップＳ１２７０）、第１のサブプロセス１４０１が、充電のためのポータブルデバイス３２８の再接続、すなわちポータブルデバイスと充電器３１６の間の接続の存在をリアルタイムで監視する（ステップＳ１４０５）。ポータブルデバイス接続検出器１０１５によって設定される充電器接続ステータスに反映されるように、リマインダが生じる前に再接続が行われる場合および時に、スケジュールがリセットされる（ステップＳ１４１０）。特に、現在のスケジュールが見合わされ、ステップＳ１２１０によって表される切断事象の監視が再開される。
【０１１０】
第２のサブプロセス１４０２に関して、時間ベースの基準に関するステップＳ１４１５、Ｓ１４２０、Ｓ１４２５は、リセットなしのバージョンの時間ベースの基準に関する前述したステップＳ１３１５、Ｓ１３２０、Ｓ１３２５と同様であり、ただし、スケジュールがリセットされた場合（ステップ１４１０）には、反復が中断される（ステップＳ１４３０）。中断される場合、処理はステップＳ１２１０に戻る。
【０１１１】
距離ベースの基準に関しても同様に、リセットバージョンの距離ベースの基準のステップＳ１４４０は、リセットなしのバージョンの距離ベースの基準に関するステップＳ１３３５と同様であり、ただし、スケジュールがリセットされた場合（ステップ１４１０）には、反復が中断される（ステップＳ１４４５）。中断される場合、処理はステップ１２１０に戻る。
【０１１２】
第１のサブプロセス１４０１と同時に実行される第２のサブプロセス１４０２は、同様に中断を受ける反復に際して（ステップＳ１４５５）、それぞれの所定の基準１４０３、１４０４が満たされているか監視する（ステップＳ１４５０）。それぞれの所定の基準１４０３、１４０３が満たされると（ステップＳ１４５０）、またはそれと同等に、それぞれステップＳ１４２５またはＳ１４４０での「はい」の分岐に処理が進むと、充電器３１６が差し込まれているどうかクエリが行われる（ステップＳ１４６０）。充電器３１６が「プラグイン」状態でない場合、ユーザ１０５に通知する必要はなく、処理はステップＳ１２０５に戻る。他方、充電器３１６が依然として差し込まれている、すなわち「プラグイン」状態である場合、リマインダの可聴および可視成分が送出する（ステップＳ１４６５）。ここでも、リセットなしのバージョンと同様に、アダプタ３０４が差し込まれているかどうかに関する追加のチェックを任意選択で行うことができる。
【０１１３】
時間ベースの基準１４０３と距離ベースの基準１４０４はそれぞれ、１つまたは複数のボタンやダイヤルなど制御機構の作動によってユーザが調節可能な所定のしきい値、すなわち距離または時間の長さを含むものであることがある。
【０１１４】
ポータブルデバイス充電器用のリマインダシステムは、充電器が置き忘れられそうな可能性が高い時を判断するように設計される。リアルタイムで行うことができる検出は、実施形態に応じて、充電器からのポータブルデバイスの切断、および／または充電器もしくは充電器アダプタのワイヤレス圏外へのポータブルデバイスの移動に関することがある。いくつかの変形形態では、報知の開始は、切断を検出した後、所定の期間の満了など所定の基準が満たされるまで暫定的に延期される。あるいは、基準は、ポータブルデバイスとアダプタまたは充電器との距離に基づく圏外状態の検出とすることができる。いくつかの実施形態では、検出およびリマインダ送出は、プラグイン壁アダプタまたは充電器自体など１つのユニットに組み込まれる。アダプタは、特定の型またはモデルの充電器に特殊化されたものではなく、汎用のものにすることができる。システムは、不快感を生じず、充電器接続ステータス、節電、および停電を見定めることができる。
【０１１５】
ユーザが家から出るときに充電器を持ち忘れるのを防止することに加えて、新規のアダプタは、それ自体の紛失を防止することができ、また、「無負荷」およびフル充電状況で節電シャットダウンを実行することができる。任意選択で、不要なリマインダまたは早まったリマインダをなくすために、節電シャットダウンの状況を停電（場合によっては一時的であることがある）から見分けることを可能にすることもできる。ほとんどのモバイルデバイス充電器と同様に、アダプタは、トラベルアクセサリに適した小さなフォームファクタを有する。さらに、アダプタは、ユーザが家に帰ってきたときには充電器から切断される必要はなく、ユーザが簡便にホームモードに切り替えて、その節電機能を利用することができる。より具体的には、アダプタは、任意の単一の型またはモデルに限定されずに、任意の数の充電器と共に使用されるように汎用のものにすることができるので万能である。任意選択で、ユーザは、例えばパーソナルコンピュータによってウェブサイトに接続して、特定のデバイスの充電プロファイルを選択することができる。次いで、Ｔｈｅｙｔａｚ他の米国特許出願公開第２００８／０００７２１２号に開示されているように、プロファイルがワイヤレスで伝送され、本明細書における文脈では、この伝送はアダプタへのものである。また、消費者が複数のアダプタを購入する必要はないが、代替形態は、様々な充電器に接続したままにするために複数のアダプタを購入することである。これは、その方が使いやすいからであり、また、アダプタがエネルギー節約機能を有するからである。有利には、アダプタは汎用であるので、好都合なことに、多くの小売店で入手することができる。あるいは、実際、上述したように、アダプタは、家またはホテルの部屋の標準の壁コンセントに付属した形で実装することもできる。
【０１１６】
本発明を、図面および前述の説明で詳細に図示して説明してきたが、そのような図示および説明は、限定的なものではなく、例示的または説明的なものとみなすべきである。本発明は、開示した実施形態に限定されない。
【０１１７】
例えば、ワイヤレス通知は、テキストメッセージングに限定されず、音声メールを含むこともある。ワイヤレス通知は、Ｂｌｕｅｔｏｏｔｈ（商標）実施形態、または任意の他の短距離ワイヤレスプロトコルに基づく実施形態に限定されず、時間または距離ベースのしきい値によってトリガされる通知で使用することができ、またはそのような通知を補完することができる。別の例として、アダプタ２０４は、弾性トグルボタン２０８、２１６の一方のみを備えることがある。あるいはまた、アダプタは、上述した小さなフォームファクタの利点を犠牲にして、Ｓｌｕｓｋｙの特許に示されるものなどアラームクロックに組み込むこともできる。そのような実施形態は、任意選択で、壁に対して面一の配置となるようには設計されずに、一端に壁プラグを有するコードを設けることもできる。あるいは、アダプタは、バスなど自動車の充電ソケットに差し込めるように設計することができ、距離または時間しきい値はより低く設定され、それにより、車両から出るときに充電器およびアダプタを携帯するように旅行者に報知することができる。
【０１１８】
図面、本開示、および添付の特許請求の範囲を検討することで、当業者は、特許請求される発明を実施する際に、開示した実施形態に対する他の変形形態を把握して実施することができる。特許請求の範囲において、用語「備える」は、他の要素またはステップを除外せず、単数表記は複数表記を除外しない。特許請求の範囲における任意の参照符号は、範囲を限定するものとみなすべきではない。
【０１１９】
コンピュータプログラムは、光記憶媒体やソリッドステート媒体など適切なコンピュータ可読媒体に、瞬間的に、一時的に、またはより長期間にわたって記憶することができる。そのような媒体は、一時的な伝播信号でないという意味合いでのみ非一時的であり、レジスタメモリ、処理装置キャッシュ、およびＲＡＭなど他の形態のコンピュータ可読媒体を含む。
【０１２０】
単一の処理装置または他のユニットが、特許請求の範囲に記載されるいくつかの項目の機能を満たすことができる。特定の手段が、互いに異なる従属請求項に記載されているということだけでは、これらの計画されたものの組合せを有利に使用できないことを示さない。
【図１】
2013537008.tif 000003
【図２Ａ】
2013537008.tif 000004
【図２Ｂ】
2013537008.tif 000005
【図２Ｃ】
2013537008.tif 000006
【図３】
2013537008.tif 000007
【図４】
2013537008.tif 000008
【図５】
2013537008.tif 000009
【図６】
2013537008.tif 000010
【図７】
2013537008.tif 000011
【図８Ａ】
2013537008.tif 000012
【図８Ｂ】
2013537008.tif 000013
【図８Ｃ】
2013537008.tif 000014
【図９】
2013537008.tif 000015
【図１０】
2013537008.tif 000016
【図１１】
2013537008.tif 000017
【図１２】
2013537008.tif 000018
【図１３Ａ】
2013537008.tif 000019
【図１３Ｂ】
2013537008.tif 000020
【図１３Ｃ】
2013537008.tif 000021
【図１４Ａ】
2013537008.tif 000022
【図１４Ｂ】
2013537008.tif 000023
【図１４Ｃ】
2013537008.tif 000024
【図１４Ｄ】
2013537008.tif 000025
【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
ポータブルデバイス（３２８）を充電するために接続可能なユニットであって、ポータブルデバイスバッテリ充電器（３１６）によって充電可能なバッテリが前記充電器から切断されているときに、前記充電器の置き忘れを防止するように構成されたユニットにおいて、
前記切断を検出するように構成された検出器（３４４）と、
前記充電器からの前記バッテリの切断の検出に応答して、前記置き忘れを防止するために、リマインダを送出するように構成された通知モジュール（３４８）と
を備え、
前記送出が、さらに以下の事象、すなわち、
ａ）前記ユニットと前記ポータブルデバイスとの距離が所定のしきい値を超えたこと（Ｓ１３３５）、および
ｂ）前記充電器からの前記バッテリの切断の前記検出後に始まるある期間が満了したこと（Ｓ１３２５）
の少なくとも一方の事象に応答することを特徴とするユニット。
【請求項２】
請求項１に記載のユニットにおいて、前記検出が、前記切断（３３２）に応答してリアルタイムで行われることを特徴とするユニット。
【請求項３】
請求項１に記載のユニット（３１８）において、前記充電器を備えることを特徴とするユニット（３１８）。
【請求項４】
請求項１に記載のユニットにおいて、前記ポータブルデバイスが、ハンドヘルドデバイス（３２８）であることを特徴とするユニット。
【請求項５】
ポータブルデバイスを充電するために接続可能なユニットであって、前記デバイスのバッテリがポータブルデバイスバッテリ充電器から切断されているときに、前記充電器の置き忘れを防止するように構成されたユニットを製造するための方法において、
前記置き忘れを防止するために、リマインダを送出するための通知モジュールを組み込むように前記ユニットを構成するステップを含み、前記送出が、前記ユニットによる、前記充電器からの前記バッテリの切断の検出に応答し（Ｓ１２１０）、
前記送出が、さらに以下の事象、すなわち、
ａ）前記ユニットと前記ポータブルデバイスとの距離が所定のしきい値を超えたこと（Ｓ１３３５）、および
ｂ）前記充電器からの前記バッテリの切断の前記検出後に始まるある期間が満了したこと（Ｓ１３２５）
の少なくとも一方の事象に応答することを特徴とする方法。
【請求項６】
ポータブルデバイスのバッテリが前記ポータブルデバイス用のバッテリ充電器から切断されているときに、前記充電器の置き忘れを防止するためのコンピュータソフトウェア製品において、コンピュータプログラム（９００）を具現化するコンピュータ可読媒体を備え、前記コンピュータプログラム（９００）が、複数の操作を行うように処理装置によって実行可能な命令を含み、前記複数の操作が、
前記製品を構成するユニットによって前記切断を検出する操作と、
前記充電器からの前記バッテリの切断の検出に応答して、前記置き忘れを防止するために、前記ユニットによってリマインダを送出する操作とを備え、
前記送出が、さらに以下の事象、すなわち、
ａ）前記ユニットと前記ポータブルデバイスとの距離が所定のしきい値を超えたこと（Ｓ１３３５）、および
ｂ）前記充電器からの前記バッテリの切断の前記検出後に始まるある期間が満了したこと（Ｓ１３２５）
の少なくとも一方の事象に応答することを特徴とするコンピュータソフトウェア製品。
【請求項７】
ａ）電源コンセントの表面に面する第１のアダプタ表面の、前記コンセント表面に対する位置と、ｂ）第２のアダプタ表面に面するバッテリ充電器の表面の、前記第２のアダプタ表面に対する位置との少なくとも一方に基づいて、それに対応して前記コンセントまたは前記充電器が前記アダプタに接続されているかどうか検出するように構成された係合検出器（３５２）と、
それに対応して前記コンセントまたは前記充電器が前記アダプタに接続されていることの前記検出に応答して、リマインダを送出するように構成された通知モジュールと
を備えることを特徴とするアダプタ。
【請求項８】
請求項７に記載のアダプタにおいて、前記モジュールが、さらに、ポータブルデバイスバッテリ充電器によって充電可能なバッテリが前記充電器から切断されていることの検出に応答して、前記充電器の置き忘れを防止するため（Ｓ１２１０）に、前記送出を行うように構成されることを特徴とするアダプタ。
【請求項９】
請求項７に記載のアダプタにおいて、前記１つまたは複数が、前記コンセント表面（２１１）に対する前記第１のアダプタ表面の前記位置を備えることを特徴とするアダプタ。
【請求項１０】
請求項７に記載のアダプタにおいて、前記送出が、前記アダプタとポータブルデバイスとの距離が所定のしきい値を超えたこと（Ｓ１３３５）に応答することを特徴とするアダプタ。
【請求項１１】
壁コンセントアダプタにおいて、デバイスが前記アダプタに差し込まれている状態で、前記デバイスが置き忘れられそうであることを前記デバイスから感知する（Ｓ７４０、Ｓ７７０、Ｓ１２４０、Ｓ１３１０、Ｓ１３４０）ように構成され、
ａ）前記デバイスが置き忘れられそうであることの前記感知に応答して、リマインダを送出すること（Ｓ７５０、Ｓ７６０、Ｓ１２３０〜Ｓ１２７０）、および
ｂ）ポータブルデバイスが前記アダプタから所定の距離を超えてたか判断すること（Ｓ７１０、Ｓ１３３５）
の少なくとも一方を行うように構成されることを特徴とする壁コンセントアダプタ。
【請求項１２】
請求項１１に記載のアダプタにおいて、差し込まれる前記デバイスが、充電器を備えることを特徴とするアダプタ。
【請求項１３】
請求項１１に記載のアダプタにおいて、前記送出を行うように構成されることを特徴とするアダプタ。
【請求項１４】
請求項１３に記載のアダプタにおいて、前記感知が、ポータブルデバイスからの前記デバイスの切断の検出（Ｓ７７０、Ｓ１２４０）を含むことを特徴とするアダプタ。
【請求項１５】
請求項１４に記載のアダプタにおいて、さらに、前記切断の発生の検出後に、前記送出を遅延する（Ｓ１３２５、Ｓ１３３５）ように構成されることを特徴とするアダプタ。
【請求項１６】
請求項１４に記載のアダプタにおいて、前記ポータブルデバイスが、ハンドヘルドデバイス（３２８）であることを特徴とするアダプタ。
【請求項１７】
請求項１１に記載のアダプタにおいて、前記判断を行うように構成されることを特徴とするアダプタ。
【請求項１８】
請求項１に記載のユニットにおいて、前記少なくとも１つの事象に対する応答性が、前記検出に対する応答性よりも即時的な応答性である（Ｓ１２３０〜Ｓ１２７０、Ｓ１３２５、Ｓ１３３５、Ｓ１３４５）ことを特徴とするユニット。
【請求項１９】
請求項１に記載のユニットにおいて、前記送出が、前記満了に応答することを特徴とするユニット。
【請求項２０】
請求項１９に記載のユニットにおいて、前記送出が、前記満了にリアルタイムで応答する（Ｓ１３２５）ことを特徴とするユニット。
【請求項２１】
請求項１９に記載のユニットにおいて、前記期間が所定の長さであることを特徴とするユニット。
【請求項２２】
請求項１９に記載のユニットにおいて、前記満了前に前記バッテリが前記充電器に再接続された場合に、前記送出の実施を見合わせる（Ｓ１４３０）ようにさらに構成されることを特徴とするユニット。
【請求項２３】
請求項２２に記載のユニットにおいて、さらに、前記リマインダの送出（Ｓ１３４５）によって、前記切断を行ったユーザに警告し、前記ユーザが依然として前記ユニットの近くにいる間に前記警告を行うように構成されることを特徴とするユニット。
【請求項２４】
請求項２３に記載のユニットにおいて、前記長さが６秒であることを特徴とするユニット。
【請求項２５】
請求項１９に記載のユニットにおいて、さらに、前記期間が、前記ユニットのユーザに対する猶予期間であるように構成され、前記猶予期間内に、前記ユーザが前記送出を妨げる機会を与えられる（Ｓ１４１０）ことを特徴とするユニット。
【請求項２６】
請求項１に記載のユニットにおいて、さらに、前記送出を非作動にさせるためのユーザスイッチ（２２４、９６０）を有するように構成されることを特徴とするユニット。
【請求項２７】
請求項１に記載のユニットにおいて、さらに、アダプタの引抜き（３１２）が前記リマインダを終了させるように設計されたアダプタとして構成されることを特徴とするユニット。
【請求項２８】
請求項１に記載のユニットにおいて、さらに、前記送出を停止するためのユーザスイッチ（９８０）を備えるように構成されることを特徴とするユニット。
【請求項２９】
請求項２８に記載のユニットにおいて、前記スイッチが手動で作動可能であることを特徴とするユニット。
【請求項３０】
請求項２９に記載のユニットにおいて、前記スイッチが手動スイッチ（２２８）であることを特徴とするユニット。
【請求項３１】
請求項１に記載のユニットにおいて、前記送出が、電源コンセント（３０８）から電力供給するために前記ユニットが接続された状態であることの影響を受けることを特徴とするユニット。
【請求項３２】
請求項３１に記載のユニットにおいて、前記ユニットが前記コンセントから電力を受け取っていないときでさえ前記送出を行う（Ｓ１２３０、Ｓ１２４０、Ｓ１２６０）ように構成されることを特徴とするユニット。
【請求項３３】
請求項１に記載のユニットにおいて、さらに、電力を搬送するためのアダプタ（３０４）として構成されることを特徴とするユニット。
【請求項３４】
請求項１に記載のユニットにおいて、さらに、電力を受け取るために前記充電器が接続されていることを検出する（Ｓ１３４０）ように構成され、前記送出が、前記受取りのために前記充電器が接続されていることの検出の影響を受けることを特徴とするユニット。
【請求項３５】
請求項１に記載のユニットにおいて、前記ポータブルデバイスを充電するための前記ユニットの接続が、着脱可能な接続（３２０）を備えることを特徴とするユニット。
【請求項３６】
請求項３５に記載のユニットにおいて、前記着脱可能な接続が、前記充電器（３１６）への接続を備えることを特徴とするユニット。
【請求項３７】
請求項１に記載のユニットにおいて、前記送出（Ｓ１３４５）が、前記超過に応答することを特徴とするユニット。
【手続補正書】
【提出日】平成24年1月19日(2012.1.19)
【手続補正１】
【補正対象書類名】明細書
【補正対象項目名】全文
【補正方法】変更
【補正の内容】
【発明の詳細な説明】
【技術分野】
【０００１】
本発明は、リマインダの送出に関し、より具体的細には、接続ステータスに関するリマインダの送出に関する。
【背景技術】
【０００２】
チェックアウト前に部屋の中を最終確認する旅行者は、しばしば、ポータブルデバイスのバッテリ充電器を置き忘れることがある。そのような充電器は、色が暗いため、特に壁コンセントが家具に隠れた位置にあるときには忘れやすい。充電のために夜のうちにコンセントに差し込んでおいた充電器を、朝になって忘れることは容易に起こり得る。この問題は、旅行者が、それぞれ独自の充電器を有する多様なモバイルデバイスを把握していなければならないということによって悪化する。
【０００３】
典型的には、ホテルには多くの充電器が置き忘れられている。
【０００４】
しかし、関連するプライバシーの問題ならびに時間および労力により、ホテルが客に連絡を取ることはない。また、オンラインサービスによって予約が行われた場合には、ホテルが連絡先の情報を知らないことも多い。
【０００５】
充電器をその所有者に発送して返却するにしても、その充電器が届くまでは所有者はデバイスを充電する手段がなく、デバイスが数日にわたって動作不能になり得る。
【０００６】
当該デバイスに適合する新たな充電器の購入も、不便および遅延を伴うことがある。
【０００７】
本明細書に参照により全体を援用するＥａｓｔｌａｃｋの米国特許出願公開第２０１０／０００１６８４号（本明細書では以後、「Ｅａｓｔｌａｃｋの特許」）に述べられているように、いくつかは壁電流から電気的に切断しているとしても、ほとんどの充電器は、ポータブルデバイスバッテリを充電していないときでさえ電力を消費する。したがって、充電器が発見されて、コンセントから抜かれるまでは、充電器の置き忘れは、エネルギーを浪費していることがよくある。
【０００８】
本明細書に参照により全体を援用する「Ｂａｔｔｅｒｙ  Ｃｈａｒｇｉｎｇ  Ｓｙｓｔｅｍ  ｆｏｒ  Ｐｏｒｔａｂｌｅ  Ｅｌｅｃｔｒｏｎｉｃ  Ｄｅｖｉｃｅｓ」という名称のＳｌｕｓｋｙへの米国特許第６，３７３，２２９号（本明細書では以後、「Ｓｌｕｓｋｙの特許」）は、バッテリが充電器に電気的に接続されているかどうかチェックする。接続されていない場合、Ｓｌｕｓｋｙの特許は、ポータブルデバイスを充電するようにユーザに報知する警報を発生する。
【０００９】
特に、充電を開始したい時についてユーザが事前設定した特定の時間にチェックが行われ、また、切断が実際にいつ行われたかに関わらず、現在の既存の接続に関してチェックが行われる。したがって、Ｓｌｕｓｋｙのデバイスは、充電器が置き忘れられそうなことをユーザに警告するのには効果的ではない。
【００１０】
「Ｉｍｐｒｏｖｅｍｅｎｔ  ｔｏ  Ｒｅｓｐｏｎｓｅ  Ｕｎｉｔｓ」という名称のＺｉｓｈａａｎの米国特許出願公開第２０１０／０２２５４９３Ａ１号（本明細書では以後、「Ｚｉｓｈａａｎ」）は、ユーザの位置の変化に関連付けて、荷物に詰めるべき１つまたは複数の物品に特有のユーザ警告信号を送出するトラベルパッキング補助システムを開示する。検出器が、物品がトラベル使用モードである時を検出する。
【００１１】
充電器と、充電器によって充電可能なポータブルデバイスとの両方を備えるＺｉｓｈａａｎの実施形態では、検出器は、とりわけ、充電器がポータブルデバイスから切り離された時を検出する。
【００１２】
移動電話などのデバイスと、充電器とが、どちらもワイヤレス送受信機を有し、デバイスは、トラベルモードを検出する。デバイスは、トラベルプランに関して、スケジューリング情報を入力するようにユーザに促すためのユーザインターフェースを備える。
【発明の概要】
【００１３】
報知用のシステムは、多くの携帯情報端末（ＰＤＡ）の場合と同様に、事象または対象物に関して、報知すべき特定の状況、または特定の時間をユーザが事前設定することをしばしば必要とする。
【００１４】
しかし、問題点として、システムに入力された特定の時間は、トラベルプランが変わる場合には効果的でなくなることがあり、プランの変更を記録する手間がユーザに生じる。また、非常の多くの「偽陽性」、すなわち、ユーザにとって煩わしく不要と感じられることがあるリマインダを送出する傾向もある。
【００１５】
充電器によって充電可能なモバイル電子デバイスまたはポータブル電子デバイスに関するリマインダシステムは、ユーザが着用する、またはユーザが携帯するデバイスによって、保護すべき対象物が離れすぎていることをワイヤレスで検出することに依拠して利用可能である。
【００１６】
これらのプロトコルは、充電器を置き忘れそうなユーザに報知するという目的には十分ではない。
【００１７】
これに関して、大抵、置き忘れられた充電器は、壁コンセントに差し込まれたままであることがあり、充電器が充電していたデバイスは取り外されている。したがって、第１に、コンセントに差し込まれていない場合には、置き忘れられる可能性は低く、リマインダが必要かどうか、または望まれるかどうかは疑わしい。
【００１８】
しかしながら、多くの既存のシステムでは、対象物、すなわち典型的にはバッテリを有するポータブル電子デバイスが充電のために現在差し込まれているか否かに関わらず、リマインダが送出される。
【００１９】
第２に、少なくとも、電子デバイスは一般に、他のデバイスを充電するためには接続されないので、リマインダは、この接続ステータスを考慮せずに送出される。しかし、充電器の場合、充電されるデバイスに依然として取り付けられている状態で旅行者が置き忘れることはめったにない。したがって、この場合にもリマインダは必要ない。
【００２０】
誤警報に関して、ちょうど旅行者が慌てて出かけようとしているときにそのような誤警報が生じることがしばしばある。
【００２１】
あるいは、旅行者が警報に気付かないことがある。旅行客がホテルを出て朝食、昼食、夕食、ビジネス会議、または社交に出かける度にリマインダが送出されると、その旅行客は、もし気付いていればチェックアウト時にポータブル電子デバイスを取りに戻っていたはずなのに、自分が受けた実際の通知を無視するという結果を招き得る。
【００２２】
誤警報の問題と同じ問題が、充電器に関して存在する。
【００２３】
上述したＺｉｓｈａａｎの出願は、充電器を置き忘れるのを防止するための手段を含むトラベルパッキング補助システムを開示するが、特に充電器に関係する問題のいくつかに具体的に対処できない。
【００２４】
上述したＺｉｓｈａａｎの実施形態は、例えば、ポータブルデバイスからの充電器の切離しを検出するが、Ｚｉｓｈａａｎは、リマインダの開始前に、充電器が壁コンセントに差し込まれているかどうか考慮することは開示または示唆していない。ユーザがデバイスを「プラグイン」ステータスに回復させて、それにより警報を回避することができる「猶予期間」も提供されていない。所定の長さの猶予期間などの余地をユーザに与えることが望ましく、その期間には、リマインダとして働く信号、例えば警報、メッセージ受信可聴音、または画面上のプロンプトによって妨げられることなく、デバイスを差し込む、抜く、および移動させることが望ましい。
【００２５】
また、Ｚｉｓｈａａｎにおけるように、旅行者のスケジュールの変更に常に注意して、それに従って入力パラメータを更新する必要があるという上述した問題もある。旅行者が変更についていくのは、支援デバイスを用いずに充電器を忘れないようにしておくことよりも難しいことがある。
【００２６】
さらに、Ｚｉｓｈａａｎのように、ユーザの移動をスケジュールおよび追跡するために携帯情報端末（ＰＤＡ）またはＰＤＡのような機能に依拠すると、例えば別個の移動電話が使用される場合には、さらにもう１つポータブルデバイスを携帯しなければならないという負担を旅行者に課す。
【００２７】
また、Ｚｉｓｈａａｎでは、ユーザは、ＰＤＡまたはＰＤＡのようなポータブルデバイスでのユーザインターフェースを提供するソフトウェアアプリケーションを入手しなければならないことに留意されたい。
【００２８】
また、各充電器は、専用のものである場合には、ワイヤレス通信および警報機能を個別に備えなければならない。
【００２９】
簡便であり、自動であり、選択的に不快感を生じないようにするプロトコルが必要である。例えば、充電器がポータブルデバイスを充電しているときにユーザがどこかへ出かけようとしているときには、報知を見合わせるべきである。しかしながら、デバイスまたは方法は、充電器の紛失が起こり得る状況では、充電器を置き忘れそうな旅行中のユーザに速やかに報知するのに効果的であるべきである。任意選択で、デバイスまたは方法は、リマインダの必要性、不快感のレベル、停電事象、およびその後生じる事象を見定めることもできる。また、デバイスまたは方法は、ユーザが、その時点で出かけるつもりがないときに単にデバイスを差し込む、抜く、または移動させる場合には、リマインダの送出を遅延することもできる。さらに、デバイスまたは方法は、充電器がコンセントに差し込まれているが充電を行っていないときにはエネルギーを節約するように努め、そのようなエネルギー節約機能をそれ自体組み込む充電器に適合することがある。さらに、デバイスまたは方法は、特定のタイプのポータブルデバイスプラグイン充電器と共に使用するように特殊化されたものではなく、汎用のものにすることができる。
【００３０】
本発明は、従来技術の上述した欠点の１つまたは複数に対処することに向けられている。
【００３１】
本発明の一態様によれば、ユニットが、ポータブルデバイスを充電するために接続可能であり、ポータブルデバイスバッテリ充電器によって充電可能なバッテリが充電器から切断されているときに、充電器の置き忘れを防止するように構成される。このユニットは、切断を検出するように構成された検出器を含む。このユニットは、さらに、充電器からのバッテリの切断の検出に応答して、置き忘れを防止するために、リマインダを送出するように構成された通知モジュールを含む。
【００３２】
別の態様によれば、ポータブルデバイスバッテリ充電器が、ポータブルデバイスのバッテリが充電器から切断されているときに、それ自体の置き忘れを防止するように構成される。充電器は、充電器からの切断を充電器が検出したことに応答して、置き忘れを防止するためにリマインダを送出するように構成される。充電器は、独立して切断を検出する。
【００３３】
さらなる態様によれば、アダプタは、電源コンセントに直接接続可能であり、ポータブルデバイスバッテリがポータブルデバイスバッテリ充電器から切断されているときに、充電器の置き忘れを防止するように構成される。このアダプタは、充電器からのバッテリの切断の検出に応答して、置き忘れを防止するために、リマインダを送出するように構成された通知モジュールを含む。
【００３４】
さらに別の態様によれば、バッテリ充電器の置き忘れを防止するように構成されたユニットは、電源コンセントから、充電のために接続されたポータブルデバイスに電力を供給するように構成される。また、このユニットは、接続の途絶に応答して、ユーザへの報知の開始を遅延するように構成される。
【００３５】
他の一態様によれば、バッテリ充電器の置き忘れを防止するための回路が、ポータブルデバイスがバッテリ充電器から切断される切断事象を検出するように構成されたポータブルデバイス切断検出器を含む。この事象の検出は、リアルタイムで行われる。この回路は、切断事象に応答して、ユーザへの報知の開始を遅延するように構成された通知モジュールを含む。
【００３６】
別の態様によれば、ポータブルデバイスを充電するために接続可能なユニットであって、デバイスのバッテリがポータブルデバイスバッテリ充電器から切断されているときに、充電器の置き忘れを防止するように構成されたユニットを製造するための方法が、リマインダを送出し、それにより置き忘れを防止するための通知モジュールを組み込むようにユニットを構成するステップを含む。送出は、ユニットによる、充電器からのバッテリの切断の検出に応答する。
【００３７】
さらなる態様では、アダプタは、ａ）電源コンセントの表面に面する第１のアダプタ表面の、コンセント表面に対する位置と、ｂ）第２のアダプタ表面に面するバッテリ充電器の表面の、第２のアダプタ表面に対する位置との少なくとも一方に基づいて、それに対応してコンセントまたは充電器がアダプタに接続されているかどうか検出するように構成された係合検出器を含む。さらに、アダプタは、それに対応してコンセントまたは充電器がそのように接続されていることの検出に応答して、リマインダを送出するように構成された通知モジュールを含む。
【００３８】
さらに別の態様によれば、充電器の置き忘れを防止するためのユニットは、ワイヤレス通信によって、検出器とポータブルデバイスとの距離に基づく所定の基準を満たすデバイスの移動を検出するように構成された検出器を含む。また、このユニットは、基準が満たされたことに応答して、リマインダを送出し、それにより置き忘れを防止するように構成された通知モジュールを含む。さらに、このユニットはスイッチを含み、スイッチによって、非作動状態であるが、ポータブルデバイスを充電するための電力を前記ユニットが依然として提供できるようにする状態にユーザがモジュールを切り替えることができ、また、スイッチによって、モジュールを作動状態に再び切り替えることができる。このユニットは、電源コンセントから電力を受け取るためにユニットが接続されている場合にのみ送出を行うように設計される。
【００３９】
関連する態様によれば、充電器の置き忘れを防止するためのユニットが、ワイヤレス通信によって、所定の基準を満たすポータブルデバイスの移動を検出するように構成された検出器を含む。基準は、検出器とデバイスとの距離に基づく。さらに、このユニットは、前記基準が満たされたことに応答して、リマインダを送出し、それにより置き忘れを防止するように構成された通知モジュールを含む。このユニットは、電源コンセントから電力を受け取るためにユニットが接続されているかどうか検出するように構成される。送出は、ユニットが接続されているかどうかの検出の結果に応答する。
【００４０】
他の関連する一態様によれば、ユニットは、充電器の置き忘れを防止するように構成される。このユニットは、ワイヤレス通信によって、所定の基準を満たすポータブルデバイスの移動を検出するように構成された検出器を備える。基準は、検出器とデバイスとの距離に基づく。さらに、このユニットは、基準が満たされたことに応答して、リマインダを送出し、それにより置き忘れを防止するように構成された通知モジュールを備える。さらに、このユニットは、電源コンセントからポータブルデバイスバッテリに電力を供給するためにユニットがポータブルデバイスに接続されているかどうか検出するように構成される。送出は、ユニットが接続されているかどうかの検出の結果に応答する。
【００４１】
さらなる関連する一態様によれば、ユニットは、ワイヤレス通信によって、所定の基準を満たすポータブルデバイスの移動を検出するように構成された検出器を含む。基準は、検出器とデバイスとの距離に基づく。また、このユニットは、基準が満たされたことに応答して、リマインダを送出するように構成された通知モジュールを含む。送出は、充電器からのポータブルデバイスバッテリの切断の検出の影響を受ける。
【００４２】
別の関連する態様によれば、充電器の置き忘れを防止するために構成されたユニットが、ワイヤレス通信によって、所定の基準を満たすポータブルデバイスの移動を検出するように構成された検出器を含む。基準は、検出器とデバイスとの所定の距離に基づく。また、このユニットは、基準が満たされたことに応答して、リマインダを送出し、それにより置き忘れを防止するように構成された通知モジュールと、ユニットに電力を供給するためのバッテリとを含む。このユニットは、電源コンセントから電力を受け取るためにユニットが接続されている場合にのみ送出を行うように設計される。
【００４３】
さらなる別の関連する態様によれば、充電器の置き忘れを防止するために構成されたユニットが、ワイヤレス通信によって、所定の基準を満たすポータブルデバイスの移動を検出するように構成された検出器を備える。基準は、検出器とデバイスとの距離に基づく。さらに、このユニットは、前記基準が満たされたことに応答して、リマインダを送出し、それにより置き忘れを防止するように構成された通知モジュールを含む。このユニットは、電源コンセントから電力を受け取るためにユニットが接続されている場合にのみ送出を行うように設計される。このユニットは、ユニットがコンセントから電力を受け取っていないときでさえ送出を行うように構成される。
【００４４】
本発明のさらなる一変形形態によれば、壁コンセントアダプタが、デバイスがアダプタに差し込まれている状態で、デバイスが置き忘れられそうであることをデバイスから感知するように構成される。
【００４５】
以下の図面を参照しながら、新規の充電器アダプタおよび充電器紛失防止方法の詳細を以下にさらに説明する。図面は、正確な縮尺では描かれていない。
【図面の簡単な説明】
【００４６】
【図１】図１は、本発明による、例示的な第１の実施形態の概要を提供する概念図である。
【図２Ａ】図２Ａは、アダプタおよびその接続の例示的な概略図である。
【図２Ｂ】図２Ｂは、アダプタおよびその接続の例示的な概略図である。
【図２Ｃ】図２Ｃは、アダプタおよびその接続の例示的な概略図である。
【図３】図３は、アダプタへのさらなる接続、および第１の実施形態の例示的な概略図である。
【図４】図４は、第１の実施形態の接続／切断検出器の例示的な概略図である。
【図５】図５は、第１の実施形態の通知モジュールの例示的な概略図である。
【図６】図６は、第１の実施形態の動作を例として示すフローチャートである。
【図７】図７は、第１の実施形態の動作を例として示すフローチャートである。
【図８Ａ】図８Ａは、第１の実施形態の動作を例として示すフローチャートである。
【図８Ｂ】図８Ｂは、第１の実施形態の動作を例として示すフローチャートである。
【図８Ｃ】図８Ｃは、第１の実施形態の動作を例として示すフローチャートである。
【図９】図９は、本発明による第２の実施形態の例示的な概略図である。
【図１０】図１０は、第２の実施形態の接続／切断検出器の例示的な概略図である。
【図１１】図１１は、第２の実施形態の通知モジュールの例示的な概略図である。
【図１２】図１２は、第２の実施形態の動作を例として示すフローチャートである。
【図１３Ａ】図１３Ａは、第２の実施形態の動作を例として示すフローチャートである。
【図１３Ｂ】図１３Ｂは、第２の実施形態の動作を例として示すフローチャートである。
【図１３Ｃ】図１３Ｃは、第２の実施形態の動作を例として示すフローチャートである。
【図１４Ａ】図１４Ａは、第２の実施形態の動作を例として示すフローチャートである。
【図１４Ｂ】図１４Ｂは、第２の実施形態の動作を例として示すフローチャートである。
【図１４Ｃ】図１４Ｃは、第２の実施形態の動作を例として示すフローチャートである。
【図１４Ｄ】図１４Ｄは、第２の実施形態の動作を例として示すフローチャートである。
【発明を実施するための形態】
【００４７】
図１は、ワイヤレス検出機能を含む第１の実施形態１００の一例を示す。家１１０を出発する旅行者１０５または充電器紛失防止システムのユーザが、玄関から出ており、ポータブルデバイスバッテリ充電器１１５を家に置き忘れそうになっている。充電器１１５は、拡大図で示される移動電話または携帯電話１２０を充電していたものであることがあり、または任意の他のポータブル機器、例えば、ラップトップ、携帯情報端末（ＰＤＡ）、プリンタ、電子メールコミュニケータ、ページャ、カメラ、カムコーダ、電動歯ブラシなどを充電していたものであることもある。外に出る時、ユーザは、電話１２０にあるＢｌｕｅｔｏｏｔｈ（商標）（本明細書では以後、「ＢＴ」）送受信機１２５を、アダプタ１３２にあるＢＴ送受信機１３０の通信圏外にちょうど持ち運んでおり、アダプタ１３２は、充電器１１５に機械的および電気的に接続されているものとして図示されている。アダプタ１３２の一端は、充電器１１５のプラグを受け取るためのものである。他端は、壁に差し込むためのものである。
【００４８】
アダプタ１３２は、アダプタから離れるポータブルデバイスまたはポータブル電子デバイス、ここでは電話１２０または他のハンドヘルドデバイスの移動を感知する。実際上、アダプタは、ユーザが充電器を置き忘れる可能性を感知する。具体的には、アダプタは、圏外状態１３４への移行、または図１に「Ｘ」で示されるワイヤレス接続１３６の途絶を感知する。アダプタ１３２内部の検出器は、ワイヤレス通信によって、所定の範囲外へのポータブルデバイスの移動を検出するために監視を行うように構成される。より具体的には、２つの送受信機１２５、１３０の間の距離が、通信圏を表す所定のしきい値を超えるとき、圏外状態が始まる。
【００４９】
圏外状態の開始に応答して、アダプタ１３２は、テキストメッセージリマインダ１３８を、ネットワーク１３７を介してワイヤレス伝送で電話１２０に送信する。テキストメッセージ１３８は、「充電器を取ってください」など、両方とも置き忘れられそうになっている充電器１１５とアダプタ１３２に関するもの、または適切であれば、置き忘れられそうになっているアダプタに関するものである。典型的には、テキストメッセージリマインダ１３８に可聴信号が先立ち、または、電話が振動モードである場合には振動が先立ち、これは、テキストメッセージが到着したことを示す。あるいは、リマインダは、触知式など任意の他の形態でよい。
【００５０】
また、圏外状態に応答して、システムは、アダプタ１３２のみが置き忘れられそうになっていることを検出することもできる。
【００５１】
充電器紛失防止アダプタ２０４に関する特定の構成が図２Ａ〜図２Ｃに示されているが、多くの変形形態が可能である。
【００５２】
３ピンアダプタ２０４は、電源として使用するホテルの部屋の壁コンセントなど、電源コンセントに直接接続可能である。アダプタ２０４は、図２Ａの内面図に示されるように、弾性のアダプタ接続トグルボタン２０８を有する。アダプタ接続トグルボタン２０８は、図２Ｂおよび図２Ｃで最もよく見られるように、第１のアダプタ表面２０９から突出している。ボタン２０８は、アダプタ２０４がコンセントに差し込まれるときに、電源コンセント表面２１１によって、ばねの圧力に反して付勢される。具体的には、壁コンセント面２１２が、ボタン２０８を押し込む。アダプタ２０４をコンセントから抜くことで、ボタン２０８が自動的に解放されてその元の位置に戻る。アダプタ２０４は、いくつかの実装形態では、引抜き後に動作できるようにバックアップバッテリを有する。アダプタ２０４は、コンセントに差し込まれているかどうかを、ボタン２０８の状態から感知することができる。代替形態として、アダプタ２０４内部の２つの高抵抗抵抗器を、互いに直列に、かつ負荷に並列に配置することができる。抵抗器間で検出される電圧から、アダプタ２０４がコンセントに差し込まれているかどうか判断することができる。抵抗を極端に高くすると、抵抗器による電力消費が最小限に抑えられる。
【００５３】
弾性の充電器接続トグルボタン２１６は、第２のアダプタ表面２１７から突出し、充電器プラグ２１８から、すなわちバッテリ充電器２２２の表面２２０からの付勢圧力に関して同様に構成されて動作する。
【００５４】
アダプタ２０４は、同様に、充電器接続トグルボタン２１６の検出された「入」または「切」状態から、充電器２２２に接続されているかどうか確かめることができる。あるいは、アダプタ２０４が壁コンセントに差し込まれているとき、電流の測定に基づいて、充電器２２２の接続ステータスを取得することができる。電流は、ポータブルデバイスを充電するために引き込むことができ、および／または充電器内のバッテリ存在インジケータ、例えば発光ダイオード（ＬＥＤ）２２６によって引き込むことができ、発光ダイオード２２６は、バッテリが充電器内に配置されている、または充電器に接続されているときに点灯する。他方、充電のためにデバイスが接続されていない場合、すなわち「無負荷」状態においては、一般に、それでも変換器への小さな電流が存在する。いずれにせよ、無負荷であるか、または負荷がフル充電されているときに電力をシャットダウンするように充電器２２２が設計されていない場合（大抵はそうである）には、低抵抗の直列抵抗器によって電流を測定することができる。シャットダウン機能を有する充電器の一例は、Ｅａｓｔｌａｃｋの特許に記載されている。本明細書で以下に論じるように、アダプタ２０４も、節電シャットダウンを行う機能を備えることができる。低抵抗の直列抵抗器に対する代替形態は、ホールプローブ電流センサである。
【００５５】
ホーム／トラベルモードスイッチ２２４により、ユーザ１０５は、アダプタ２０４を「ホームモード」にすることができ、これは、テキストメッセージリマインダの形態で図１に例示される報知機能を作動停止させる。家では、ユーザ１０５は、充電器２２２を壁に差したままにしておくことを望むことがある。したがって、家で充電器を使用するために、アダプタ２０４を充電器２２２から物理的に切断する必要はない。実際、有利には、節電シャットダウン機能を利用することができる。あるいは、アダプタ２０４は、電力調整機能なしで実装することもできる。
【００５６】
節電シャットダウン機能は、自動的に交流（ＡＣ）をシャットダウンし、これは、本明細書で上述したようにいくつかの充電器が有する機能である。ＡＣがない場合、充電器紛失防止回路または「システム」は、充電のために差し込まれたポータブルデバイスをユーザ１０５が抜いたかどうか検出することができない。したがって、念のため、アダプタ２０４にある発光ダイオード（ＬＥＤ）２２６が、ユーザ１０５に警告するために連続的に点滅する。節電シャットダウンは夜間に行われることがあるので、あまり不快感を生じない点滅するＬＥＤのほうが、可聴信号よりも好ましい。ポータブルデバイスの引抜きが、それが行われたにも関わらず、ＡＣがないために検出されなかったときでさえ、アダプタ２０４は、バックアップ回路によって、朝などユーザが出かけようとする時を検出して、テキストメッセージリマインダ１３８を送信することができる。したがって、リマインダ１３８の送出は、アダプタ２０４が電源コンセントから電力を受け取っていないときでさえ行うことができる。
【００５７】
ＡＣは、ユーザ１０５が節電後再作動スイッチ２２８を押すときに回復することができる。これはまた、点滅を停止させる。
【００５８】
図３は、例示的であり非限定的な例として、本発明の第１の実施形態による充電器紛失防止回路３００の概要を示す。回路３００は、本明細書で上述したように、主として、家から出かけようとしているユーザが壁コンセントに充電器を置き忘れるのを防止するように設計される。回路３００は、例えば、アナログ電子構成要素、ハイブリッド回路、または、任意の形態のＲＡＭ、ＲＯＭ、ＡＳＩＣ、ＰＬＤ、もしくはそれらの組合せを含む集積回路を備えるソリッドステートデバイスとして実装することができ、ソフトウェア、ファームウェア、またはハードウェア、またはそれらの任意の組合せで実装することができる。
【００５９】
回路３００は、充電すべきポータブルデバイスとは別個にプラグインユニットに組み込むことができ、例えば、コンセントへのプラグイン接続を成すためのアダプタ３０４として実装することができる。図３で、アダプタ３０４は、矢印３１２によって示されるように壁コンセント３０８に取外し可能に差し込むことができるものとして示され、また、矢印３２０によって示されるように充電器３１６を取外し可能に受け取ることができ、アダプタ３０４は充電器３１６に着脱可能に接続可能である。
【００６０】
充電器３１６は、携帯情報端末（ＰＤＡ）など、別個のポータブルデバイス３２８に着脱可能に接続可能な端部３２４を有する。着脱可能な接続によって、充電器３１６によって充電可能なポータブルデバイスバッテリ３３６への電気接続３３２が確立され、この電気接続３３２は、ポータブルデバイス３２８に電力供給するように構成される。ポータブルデバイスバッテリ充電器３１６からのバッテリ３３６の切断は、バッテリが取り付けられたポータブルデバイス３２８を充電器から取り外すことによって行われる。ポータブルデバイス３２８は、任意のポータブルデバイス、モバイルデバイス、またはハンドヘルドデバイスでよく、あるいはバッテリでもよい。ポータブルデバイス３２８の切断は、バッテリ３３６を充電器３１６から電気的に切断する。
【００６１】
本発明のいくつかの変形形態では、回路３００を含むアダプタを充電器３１６と一体化して、単一のユニット３１８を形成することができる。一体型の充電器の場合、例えばＤｅＦｅｌｉｃｅ他への米国特許第６，０１４，０１１号に記載されているように、切断は、任意の既知の適切な様式で充電器によって直接検出することができる。充電器と別個のアダプタとの場合と同様に、一体型の充電器は、ポータブルデバイス３２８の切断の検出に応答して、リマインダ１３８を送出し、それによりそれ自体が置き忘れられるのを防止する。
【００６２】
充電器紛失防止回路３００は、データおよび制御バス３４０に取り付けられた、接続／切断検出器３４４と、通知モジュール３４８と、係合検出器３５２と、バックアップバッテリ（図示せず）を含むバックアップ回路３５６と、制御装置３６０と、節電後再作動スイッチ３６４と、ホーム／トラベルモードスイッチ３６８とを含む。
【００６３】
図４に示される接続／切断検出器３４４の一変形形態は、データおよび制御バス３４０に取り付けられた、比較器モジュール４０５と、ポータブルデバイス接続存在検出器４１０と、メモリ４１５と、電源接続存在検出器４２０と、ポータブルデバイスバッテリ充電量検出器４２５とを含む。
【００６４】
メモリ４１５は、現在の電流量読取値４３０と、１つまたは複数の以前の読取値４３５と、基準量４４０とを記憶することができる。さらに、メモリ４１５は、作業記憶域、ならびにデータおよび制御情報のための記憶域（図示せず）を備えることができる。
【００６５】
図５に示されるこの例の通知モジュール３４８は、データおよび制御バス３４０に取り付けられた、マスタとしてサービスするＢｌｕｅｔｏｏｔｈ（商標）モジュール５１０と、ＢＴ接続途絶検出器５２０と、ネットワーク送受信機５３０と、テキストメッセージセレクタ５４０と、ＬＥＤ点滅装置５５０とを含む。
【００６６】
動作時、１つのシナリオによれば、図６で見られるように、ユーザは、構成要素、すなわちアダプタ３０４、充電器３１６、およびポータブルデバイス３２８を任意の順序で一体に接続する。すなわち、アダプタは、ある時点で壁コンセント３０８に差し込まれる。
【００６７】
アダプタ３０４が差し込まれた後（ステップＳ６１０）、ユーザ１０５は、それを電話１２０とＢＴペアリングすることができる。アダプタ３０４には初期ＢＴパスキーが備えられている。差し込まれたアダプタ３０４のＢＴモジュール５１０は、アダプタのＢＴ通信圏内にある電話１２０の表示画面上で見られるように、パスキーの入力を促す。ＢＴ出力クラス２は、約１０メートルの範囲を有する。ユーザ１０５は、提供されたパスキーを入力し、次いで、ＢＴモジュール５１０が電話１２０のＢＴ送受信機１２５とペアリングする。次いで、ＢＴモジュール５１０は、ペアリングした電話１２０にテキストメッセージを送信させる。アダプタ３０４は、受信されたメッセージから電話番号を得て、その電話番号を、後で使用するために宛先として記憶する。特に、アダプタ３０４は、後の時点で、ネットワーク送受信機５３０によって、テキストメッセージセレクタ５４０によって選択されたリマインダをユーザ１０５にテキスト表示することができる。ネットワーク送受信機５３０は、双方向ページャのメッセージ伝送機能を組み込む。したがって、ステップ６２０で、ユーザは、まだ行われていない場合には、任意の順序で、アダプタ３０４を携帯電話１２０とＢＴペアリングし、充電器３１６をアダプタに差し込み、他方の充電器の端部３２４をポータブルデバイス３２８に差し込む。
【００６８】
ＢＴペアリングが形成され、例えば係合検出器３５２によって、ボタン２０８、２１６を用いて、充電器３１６およびアダプタ３０４が差し込まれていることが検出された後（ステップＳ６２０）、アダプタ３０４内にあるＢｌｕｅｔｏｏｔｈ（商標）接続途絶検出器５２０が、電話１２０がＢＴ圏外であるか監視し、すなわち電話への無線のＢＴ接続１３６が存在しなくなる時を監視する（Ｓ７１０）。携帯電話１２０は、典型的には単独で圏外状態を認識するが、システム３００は、これに依拠する必要はなく、電話を含まない。圏外状態ではＢＴペアリング接続が途絶され、ユーザ１０５は、電話１２０が圏内に入った場合および時に再び入力を促される。その時点で、ユーザ１０５は、アダプタ３０４と電話１２０を容易に再びペアリングすることができる。
【００６９】
圏外への移動の監視（ステップＳ７１０）と同時に、回路３００は、図８Ａで見られるように、充電器による節電シャットダウンの発生を監視する。あるいは、回路３００は、場合によっては、充電器のみが接続されているときに、「無負荷」状態に基づいてそれ自体シャットダウンを実行することを決断する。「無負荷」状態は、現在の電流量読取値４３０をそれぞれの基準量４４０と比較することによって検出可能である。また、充電器３１６への電力を遮断する自動開始式のシャットダウンは、ポータブルデバイスバッテリ充電量検出器によってフル充電状態が検出されたことに応答して行うこともできる（ステップＳ８１０）。いずれにせよ、例示的実装形態における自動開始式のシャットダウンは、リレーを使用し、通常は閉じられているリレーの電機子が、電磁引力によって、ばねの引張力に反して開き、それにより、ＡＣが負荷に流れる経路を遮断する。この開放は、固定接点と磁気係合するように電機子を引っ張り、電機子を開いたままにする。節電後再作動スイッチ３６４の作動が、電機子を磁気係合から機械的に外し、それにより、ばねの引張力がＡＣ電気経路を閉じる。シャットダウン状態は、自動開始式であるか否かに関わらず、充電のためにポータブルデバイス３２８が接続されているかどうかを検出できなくするが、後の時点で、すなわちユーザ１０５が出かけるときに、充電器自体が接続されているかどうかを知らせる機能は妨げない。特に、この第１の実施形態は、バックアップ回路３５６と、弾性の充電器接続トグルボタン２１６の「入」状態を検出する機能を備える係合検出器３５２とを有する。係合検出器３５２は、ボタン２０８、２１６の機械的な付勢または解放によって動作可能なものとして本明細書で上述したが、意図される本発明の範囲はそれに限定されない。より広い文脈では、係合検出器３５２は、接続が例えばピンに依拠するか、または電磁誘導の場合のように電磁式であるかに関わらず、アダプタ２０４および充電器プラグ２１８の接続、または一体型バージョンでは充電器のみの接続に応答するように設計されることがある。接続は、それぞれ、第１のアダプタ表面２３６に対する電源コンセント表面２３２の位置、および第２のアダプタ表面２４０に対するバッテリ充電器表面２２０の位置に基づいて検出することができる。また、アダプタ２０４は、独立型デバイスとして図２に示されているが、壁コンセントに付属されることもある。これは、ヒンジを含むことができ、ヒンジは、コンセントの上方にアダプタを回転させ、それにより係合解除し、または下に回転させて係合させる。ヒンジではなく、係合および係合解除するようにアダプタを摺動させることができるようにするトラックを提供することもできる。
【００７０】
図７に戻ると、電話ＢＴ送受信機１２５が圏外に持ち運ばれたときにワイヤレス接続１３６が途絶されることにより、Ｂｌｕｅｔｏｏｔｈ（商標）接続解消検出器５２０が、ハイブリッド接続がもはや存在していないことを検出した（ステップＳ７１０）後、処理は、電力がシャットダウンされているかどうかに基づいて分岐する（ステップＳ７２０）。電力がシャットダウンされている場合、これは、すぐ上で述べたように、自動開始式の節電シャットダウンまたは外部から課される節電シャットダウンにより行われていることがある。あるいは、シャットダウンは、停電により生じることがあり得る。いずれにせよ、電力がシャットダウンされている場合、アダプタ３０４が依然としてコンセントに差し込まれているかどうか、すなわち電源コンセント３０８から電力供給するためにアダプタが接続された状態であるかどうかクエリが行われる（ステップＳ７３０）。係合検出器３５２は、弾性アダプタ接続トグルボタン２０８の「入」または「切」状態によって、アダプタ３０４がコンセントに差し込まれているかどうか判断することができる。アダプタ２０４が差し込まれていない場合、リマインダを送信する必要はなく、処理はステップＳ６１０に戻る。他方、アダプタ２０４が差し込まれている場合、ＡＣ電力がないため、ポータブルデバイス３２８も差し込まれているかどうかは分からないが、検出された「圏外」ステータスに基づいて、ユーザ１０５が出かけようとしていると仮定される。したがって、念のため、テキストメッセージリマインダ１３８が送出される。充電器３１６が「プラグイン」状態である場合（ステップＳ７４０）、テキストメッセージセレクタ５４０が選択を行い、ＢＴマスタモジュール５１０が、ネットワーク送受信機５３０によって、「充電器およびアダプタを確認してください」とテキスト表示する（ステップＳ７５０）。他方、充電器３１６が「プラグイン」状態でない場合、テキストメッセージセレクタ５４０が選択を行い、ＢＴマスタモジュール５１０が、ネットワーク送受信機５３０によって、「充電器アダプタを確認してください」とテキスト表示する（ステップＳ７６０）。しかし、任意選択で、後者のメッセージを見合わせることもでき、すなわちリマインダ１３８の送出は、コンセント３０８から電力供給するために充電器３１６が接続された状態であることの影響を受けることがある。この時点で、送出されるリマインダ１３８（もしあれば）に関わらず、次いで処理がステップＳ６２０に戻る。次にステップＳ７２０を再び見ると、電力がシャットダウンされていない場合、ポータブルデバイス３２８が接続されているかどうかが分かる、または判断することができる。したがって、アダプタ接続接続ボタン２０８および充電器接続ボタン２１６の「入」または「切」状態に基づいて、ユーザ１０５に通知する必要があるかどうかの判断をより高い信頼性で行うことができる。したがって、電力がシャットダウンされていない場合、ポータブルデバイス接続存在検出器４１０が、ポータブルデバイス３２８が充電器に接続されているかどうか判断する（ステップＳ７７０）。ステップＳ６２０で、ポータブルデバイス３２８が充電器３１６に接続されたので、ステップＳ７７０は、充電器からのポータブルデバイスの切断を検出する。特に、比較器モジュール４０５は、現在の電流量読取値４３０を、ポータブルデバイスを充電するための最小電流レベルを示す基準量４４０と比較する。ポータブルデバイス３２８が接続されている場合、ユーザ１０５に通知する必要はなく、処理はステップＳ６２０に戻る。他方、接続されていない場合、充電器３１６またはアダプタ２０４が差し込まれていることが係合検出器３５２によって検出された場合、通知が必要である可能性がより高いが、処理は、ステップＳ７３０で始まる前述の論理に従う。
【００７１】
その一方で、途絶されたワイヤレス接続の監視を始め、図８Ａに戻って、節電シャットダウンが行われている場合（ステップＳ８１０）には、図８Ｂから分かるように、ＬＥＤ点滅装置５５０が始動して、ＬＥＤ２２６を点滅させる（ステップＳ８２０）。実際上、この瞬間に、リマインダ１３８の可聴成分は抑制される。また、節電後再作動スイッチ３６４の作動、すなわち押圧の監視が始まる（ステップＳ８３０）。
【００７２】
シャットダウンが停電による場合、ＬＥＤ２２６は点滅されない。結局、ここではユーザ１０５が出かけようとしている示唆がなく、停電は一時的であることがあり、ユーザが出かけようとしていることが検出される時までに電力が回復されることがある。その時までに電力が回復される場合には、その時点で、ステップＳ７７０において、ポータブルデバイス３２８が切断されているかどうかに関して最終的な判断を行うことができる。したがって、その時点で、リマインダを送出するかどうかについて、高い信頼性の判断を行うことができる。実際上、ここでは、早まったものとなり得るリマインダを送出せずに、回路３００は、リマインダを送出するかどうかに関する決定をその時点まで延期する。
【００７３】
別の可能性は、シャットダウンが外部から課される節電シャットダウンであること、すなわち例えば充電器３１６によって課される節電シャットダウンであることである。外部から課される節電シャットダウンは、バッテリがフル充電されたことにより行うことができ、または、例えば、節電シャットダウンの機能を有する未接続の充電器が、コンセントに差し込まれたアダプタ２０４に残っているときに、「無負荷」での節電シャットダウンにより行うことができる。
【００７４】
したがって、シャットダウンが、外部から課される節電シャットダウンによる場合には、ポータブルデバイス３２８が接続されているかどうかを依然として検出することができないときにユーザが出かけようとする現実的な可能性がある。したがって、念のため、リマインダが送出される。さらに、念のため、不快感を生じない形ではあるが、ＬＥＤ２２６の点滅などのリマインダがここで開始される。
【００７５】
したがって、ここで、停電の発生を、外部から課される節電シャットダウンの発生から見分けることが望まれる。
【００７６】
ポータブルデバイス接続存在検出器４１０は、電流降下の大きさ、電流降下直前の電流の量、電流降下に至るまでの時間にわたる電流変化に基づいて、区別を行う。Ｅａｓｔｌａｃｋの特許の図７を参照されたい。比較器モジュール４０５は、例えば、最新の現在の電流量読取値４３０を、ポータブルデバイスを充電するための最小電流レベルを示す基準量４４０と比較することができる。また、ポータブルデバイスバッテリ充電量検出器４２５は、ポータブルデバイスバッテリ３３６が充電されている度合い、すなわちバッテリの充電状態を求めるために、１つまたは複数の比較を行うことができる。比較は、最新の現在の電流量読取値４３０と、それぞれ継続して定期的に取られた以前の読取値の１つまたは複数との間で成される。電流量の十分に大きい突然の下降は、特にそれが高い電流量から生じる場合には、停電を示す。他方、フル充電されたバッテリによる節電シャットダウンは、しばしば、電流のゆっくりとした、または漸進的な降下の後に生じ、この降下は、比較的低い電流量からのものである。外部から開始された「無負荷」の節電シャットダウンの場合、最後に検出される電流量は、同様に典型的には比較的低レベルである。したがって、停電が認識可能となる。
【００７７】
あるいは、アダプタ２０４は、負荷に並列に配置された前述した一対の高抵抗の直列抵抗器を備えて実装することができ、その対の間での電圧がないことは、電力がないことを示す。
【００７８】
電流量読取値４３０、４３５に基づいて上述の区別を高い信頼性で行うことができるように、基準量４４０はすべて経験的に導出することができる。
【００７９】
スイッチ３６４を押すことにより、本明細書で上述したように、ＬＥＤ点滅装置５５０が点滅を停止し（ステップＳ８４０）、アダプタのための電力提供機能を回復する。
【００８０】
あるいは、アダプタ２０４は、単にそれをコンセントから抜くことでリマインダが終了されるように設計することができる。リマインダは、例えば、点滅するものなど継続的または周期的なリマインダでよく、またはユーザ１０５にリマインダを通信するための警笛または他のデバイスからのものなど連続的なリマインダでもよい。また、電力提供機能が使用不能になっている場合には、引抜きおよび／またはその後の差込みが、アダプタ２０４の電力提供機能を回復する働きをすることもできる。しかし、少なくとも、回復機能は、スイッチ３６４の必要な作動に応じて行うことができる。これは、安全のために、アダプタの電力送達能力を回復しようとするユーザの意図、および何が起きているかということについてのユーザの暗黙的な理解をより高い信頼性で示唆する。
【００８１】
電源接続存在検出器４２０が、アダプタ２０４が「プラグイン」状態であることを検出した場合（ステップＳ８５０）、処理はステップＳ６２０に戻る。そうではなく、アダプタ２０４が「プラグイン」状態でない、あるいはコンセント３０８からポータブルデバイスバッテリに電力を供給するために接続されていないことが検出された場合、処理はステップＳ６１０に戻る。
【００８２】
停電の場合のリマインダの延期は、任意選択の機能であり、回路３３０は、停電の場合でさえすぐに、ステップＳ８２０のＬＥＤの点滅などリマインダを送出するように形成することもできる。
【００８３】
図２に関連付けて本明細書で簡単に上述したホーム／トラベルスイッチ３６８によって、ユーザ１０５は、非作動状態であるが、アダプタ３０４が電源３０８から充電器３１６に電力を依然として搬送できるようにする状態に通知モジュール３４８を切り替えることができる。同様に、モジュール３４８を再び作動状態に切り替えるために、スイッチ３６８が使用される。
【００８４】
図９は、圏外状態のＢｌｕｅｔｏｏｔｈ（商標）ワイヤレス検出機能を有しない本発明の例示的な変形形態を表す第２の実施形態の概要を示す。これは、ワイヤレス通知も含まないが、それを含むこともできる。さらに、第１の実施形態の係合検出器を含まないが、係合検出器がこの実施形態の一部でもよい。
【００８５】
充電器紛失防止回路９００は、例えば、アナログ電子構成要素、ハイブリッド回路、または、任意の形態のＲＡＭ、ＲＯＭ、ＡＳＩＣ、ＰＬＤ、もしくはそれらの組合せを含む集積回路を備えるソリッドステートデバイスとして実装することができ、ソフトウェア、ファームウェア、またはハードウェア、またはそれらの任意の組合せで実装することができる。回路９００は、アダプタ３０４に組み込むことができ、データおよび制御バス９１０に接続された、制御装置９２０と、接続／切断検出器９３０と、通知モジュール９４０と、バックアップバッテリ（図示せず）を含むバックアップ回路９５０と、ホーム／トラベルモードスイッチ９６０と、メモリ９７０と、節電後再作動スイッチ９８０とを含む。
【００８６】
メモリ９７０は、現在の電流量読取値９８２と、現在の電圧量読取値９８４と、１つまたは複数の以前の読取値９８６と、基準量９８８と、タイミングしきい値９９０とを含むように設計され、また、作業記憶域、ならびにデータおよび制御情報のための記憶域（図示せず）を含む。
【００８７】
図１０に示されるように、接続／切断検出器９３０は、比較器モジュール１００５と、ポータブルデバイス切断検出器１０１０と、ポータブルデバイス接続検出器１０１５と、ポータブルデバイス接続存在検出器１０２０と、電源接続存在検出器１０２５と、ポータブルデバイスバッテリ充電量検出器１０３０と、ワイヤレス送受信機を備える無線周波数識別（ＲＦＩＤ）質問器１０３５とを含む。
【００８８】
図１１は、通知モジュール９４０を示す。通知モジュール９４０は、タイマ１１２０と、警報セレクタ１１４０と、ＬＥＤ点滅装置１１６０とを含む。
【００８９】
使用の際、図１２で見られるように、ユーザ１０５は、まだ差し込まれていない場合には、壁コンセント３０８にアダプタ３０４および充電器３１６を差し込む。（ステップＳ１２０５）。この時点で、または、係合検出器がある場合にはアダプタ３０４および充電器３１６が差し込まれたことが検出された後、ポータブルデバイス接続存在検出器１０２０が、現在の電流量読取値９８２と対応する基準量９８８とを使用して比較器モジュール１００５によって成される比較により、ポータブルデバイス３２８が接続されているかどうか監視する（ステップＳ１２１０）。ポータブルデバイス３２８が接続されていることをポータブルデバイス接続存在検出器１０２０が検出したとき、充電器３１６のステータスがこれを反映し、検出器が、まだ作動されていない場合には通知モジュール９４０を作動させる（ステップＳ１２２０）。
【００９０】
次いで、一体となって、ポータブルデバイス切断検出器１０１０と、ポータブルデバイスバッテリ充電量検出器１０３０と、比較器モジュール１００５とによって、ａ）ポータブルデバイスの切断、ｂ）停電、およびｃ）外部から課される節電シャットダウンのうちの任意の１つの発生の監視が始まる。（ステップＳ１２３０）。事象ａ）、ｂ）、およびｃ）の任意のものが起きた時を識別するために成される比較は、図８に関して本明細書で上述したものと同様である。例えば、さらに上述したように、外部から課される節電シャットダウンの検出は、バッテリ３３６の感知される充電状態に基づくことがある。やはり上述したように、この実施形態、すなわち第２の実施形態は、係合検出器を含まないと仮定される。その結果、停電の発生を、ユーザによるアダプタ３０４の引抜きと区別できない。以下に述べるように、停電の場合には、ＬＥＤの点滅の形態でリマインダを送出することが望ましいことがあるので、同様に、アダプタがトラベルモードであるときの引抜きによってもリマインダが送出される。しかし、生じたＬＥＤの点滅は、ユーザ１０５が節電後再作動スイッチ９８０を押すことによって終了させることができる。あるいは、本明細書で上述したように、第２の実施形態は、係合検出器を備えて実装することができる。その場合、停電をアダプタ３０４の引抜きと区別することができ、アダプタ３０４の引抜きの場合には点滅は生じない。したがって、ユーザ１０５は、アダプタ３０４を抜いた後に、スイッチ９８０を押す必要がなくなる。さらなる代替形態として、アダプタ３０４は、すぐ後に論じる停電ベースのリマインダを生じないように設計することができ、したがって、アダプタ３０４を抜いた後に、スイッチ９８０を押す必要がない。
【００９１】
ステップＳ１２３０で、ポータブルデバイス切断、停電、または節電シャットダウンの検出が存在しない場合、および節電の自動初期化が存在しない場合には（ステップＳ１２５０の「いいえ」の分岐）、監視は、ステップＳ１２３０に戻る分岐に進む。
【００９２】
他方、停電または節電シャットダウンが生じている（ステップＳ１２４０の「いいえ」の分岐、またはＳ１２５０の「はい」の分岐）場合、回路９００は、上の技法によって、ポータブルデバイス３２８が切断されているかどうか検出することがもはやできない。その結果、念のため、不快感を生じないリマインダが送出される（ステップＳ１２６０）。具体的には、例えばこのとき夜間であることがあるので、リマインダを送出する際、警報セレクタ１１４０は、可聴成分を抑制する。リマインダは、第１の実施形態に関連して上述したように、ＬＥＤ点滅装置１１６０によって制御される点滅するＬＥＤ２２６など、可視成分の形態を取ることがある。次いで、処理はステップＳ１２１０に戻る。
【００９３】
しかし、ポータブルデバイス切断検出器１０１０が、ポータブルデバイス３２８の切断、すなわち接続の途絶をリアルタイムで検出した場合（ステップＳ１２４０の「はい」の分岐）、充電器３１６の接続ステータスがこれを反映し、切断事象がリアルタイムで通知モジュール９４０に通信される。同様に、リアルタイムでリマインダ１３８がスケジュールされ、これは、タイミングしきい値９９０の場合には、例えばカウントダウンタイマを設定するためにしきい値にアクセスすることを意味する（ステップＳ１２７０）。実際上、ユーザ１０５への報知の開始は、その開始を遅延するようにスケジュールされる。次いで、図１３Ａまたは図１４Ａ、図１４Ｂに表されるように、それに対応して、１つのプロセスが実行されるか、または２つのサブプロセスが同時に実行される。サブプロセスの実行は、実際上、ユーザ１０５への報知の開始を遅延する。この遅延は、時間基準の場合には、予め定められた猶予期間の形態での余地を提供する。距離基準の場合には、遅延は、距離基準または圏外基準が満たされるまで続く。ステップＳ１３３５、Ｓ１４４０での距離基準は、本明細書では、ＲＦＩＤ検出方法の文脈で上述した。しかし、そうではなく、または追加として、基準は、アダプタ３０４と、Ｂｌｕｅｔｏｏｔｈ（商標）ペアリングしたポータブルデバイスとの距離に適用することができる。あるいは、基準は、例えば超広帯域（ＵＷＢ）またはＩＥＥＥ８０２．１１（Ｗｉ−Ｆｉ）送受信機を使用して、任意の短距離通信のために設計された送受信機間の距離に適用することができる。それに従って、リマインダ１３８の開始は、その開始を遅延するようにスケジュールされる。
【００９４】
図１４Ａ〜図１４Ｄに見られる例示的なリセット実施形態によれば、回路９００は、ユーザ１０５がポータブルデバイス３２８を切断した直後に充電のために再接続したことをリアルタイムで検出した後、リマインダの送出を即時に見合わせるように構成される。これは、猶予期間を利用する。特に、回路９００は、リマインダのスケジューリングによって生成されたスケジュールを即時にリセットし、さらに、ポータブルデバイスの切断の監視を即時に再開する。スケジュールをリセットするために、図１４Ａ、図１４Ｂにさらに見られるように、第１のサブプロセス１４０１は、所定の基準が満たされているかどうか判断している進行中のサブプロセス１４０２を中断する。図１４Ｃにさらに示されるように、進行中のサブプロセス１４０２の一部の１つのバージョン１４０３は、所定の期間が満了したかどうか判断するように実行される。その部分の別のバージョン１４０４は、図１４Ｄに示されるように、ＲＦＩＤタグを備えるポータブルデバイス３２８が、切断後にアダプタ３０４内のＲＦＩＤ質問器１０３５から所定の距離を超えているかどうか判断するように実行される。あるいは、例えば回路９００が充電器内に一体化されている場合には、ＲＦＩＤ質問器１０３５を充電器３１６内部に配設することができる。
【００９５】
さらなる説明を単純にするために、本明細書ではまず、図１３Ａ〜図１３Ｃに見られるリセットなしのバージョンを以下に論じる。
【００９６】
ここで、リマインダがスケジュールされており（ステップＳ１２７０）、所定の基準が満たされた後（ステップＳ１３０５）、ポータブルデバイスがここで再接続されているかどうかクエリが行われ（ステップＳ１３１０）、すなわち充電器３１６の接続ステータスに関してクエリが行われ、それにより、再接続が行われている場合にはリマインダが必要なくなる。
【００９７】
基準は、例えば、時間ベースの基準とすることも距離ベースの基準とすることもできる。
【００９８】
図１３Ｂに見られる時間ベースの基準に関して、まず、変数ＴＯＴＡＬＤＥＬＡＹがゼロに初期化される（ステップＳ１３１５）。変数ＴＯＴＡＬＤＥＬＡＹは、その後、しきい値に達するまで（ステップＳ１３２５）、Δずつ繰り返し増分される（ステップＳ１３２０）。値Δは、例えば１に設定されることがあり、反復は毎秒行われ、しきい値は６である。例示として、ステップＳ１３１０に関して、６秒の遅延によって、例えば可聴リマインダなどの警報を発生させずにポータブルデバイス３２８を抜く、および再接続する、または場合によっては１つのコンセントから別のコンセントに移動させる余地がユーザ１０５に与えられる。
【００９９】
図１３Ｃに示される距離ベースの基準（ここでは時間ベースの基準の代わりに提供されるが、時間ベースの基準に追加することもできる）は、アダプタベースのＲＦＩＤ質問器１０３５と、ポータブルデバイス３２８内のＲＦＩＤタグとの距離に基づく。ポータブルデバイス３２８の移動により、距離ベースのしきい値に達する（これは、ワイヤレス接続１３６の途絶によって明らかになる）と（ステップＳ１３３５）、距離ベースの基準が満たされる。また、距離を繰り返し検出し、しきい値に達するまで、検出された距離を距離ベースのしきい値と比較することによって、この基準を満たすこともできる。システム９００は、基準を満たすポータブルデバイスの移動を監視する。
【０１００】
したがって、例えば、しきい値が１５フィートである場合、可聴警報は、アダプタ３０４またはアダプタと充電器３１６を持たずにユーザ１０５が廊下に出て行くときや、その他、出かけそうなときに、音を発することがある。
【０１０１】
あるいは、リセットバージョンと同様に、例えば回路９００が充電器に組み込まれている場合には、ＲＦＩＤ質問器１０３５を充電器３１６内部に配設することができる。
【０１０２】
それぞれ時間ベースまたは距離ベースの基準が満たされるとき（ステップＳ１３０５）、上述したように、ポータブルデバイス３２８がここで再接続されているかどうかクエリが行われる（ステップＳ１３１０）。
【０１０３】
ポータブルデバイス３２８が再接続されている場合（これは、現在の電流量読取値９８２をそのそれぞれの基準量９９０と突き合わせることによって判断することができる）、処理はステップＳ１２１０に戻る。
【０１０４】
ポータブルデバイス３２８が再接続されていない場合でさえ、ユーザ１０５は、充電器３１６を取りに戻るように報知される必要が必ずしもあるわけではない。電源接続存在検出器１０２５によって設定された充電器接続ステータスに反映されるように、充電器が差し込まれていない場合には、すなわち電源コンセント３０８から電力供給するために充電器が接続された状態になっていない場合（ステップＳ１３４０）には、報知は必要とされない。充電器３１６が差し込まれていない場合、処理はステップＳ１２１０に戻る。
【０１０５】
他方で、充電器３１６が、まだ差し込まれている、あるいはアダプタの外部の電源、例えば電源コンセント３０８から電力を受け取るために接続されている場合には、リマインダの可聴および可視成分が送出される（ステップＳ１３４５）。
【０１０６】
したがって、リマインダ１３８を送出するかどうかの判断は、この実施形態では、スケジュールされた報知の開始時に実施され、充電器３１６の接続ステータスに基づく。
【０１０７】
リマインダ１３８は、リマインダをユーザ１０５に通信するためのデバイスから送出される。
【０１０８】
リマインダ１３８の可視成分は、例えばＬＥＤ２２６の点滅でよく、またはそれを含むことがある。可聴成分は、典型的な家庭用煙警報器で見られるものなど、警報でよく、またはそれを含むことができる。任意選択で、警報セレクタ１１４０の出力に従って、成分の１つのみを実施または作動させることができる。また、特定のタイプのポータブルデバイスに関連付けられる紛失した充電器は、都合良く代わりを用意できないことがある。一方、アダプタ３０４は、より汎用のものであることがある。それにも関わらず、ステップＳ１３４０に関連付けて、充電器３１６が差し込まれていない場合でさえ、アダプタ３０４が差し込まれているかどうかチェックを行い、ユーザ１０５にアダプタを取るように報知することもできる。他方、任意選択で、リマインダ１３８の送出は、コンセント３０８から電力供給するために充電器３１６が接続された状態であることの影響を受けることがある。
【０１０９】
ここで、もう一度、図１４Ａ〜図１４Ｄのリセットバージョンを考察すると、ここで、リマインダがスケジュールされており（ステップＳ１２７０）、第１のサブプロセス１４０１が、充電のためのポータブルデバイス３２８の再接続、すなわちポータブルデバイスと充電器３１６の間の接続の存在をリアルタイムで監視する（ステップＳ１４０５）。ポータブルデバイス接続検出器１０１５によって設定される充電器接続ステータスに反映されるように、リマインダが生じる前に再接続が行われる場合および時に、スケジュールがリセットされる（ステップＳ１４１０）。特に、現在のスケジュールが見合わされ、ステップＳ１２１０によって表される切断事象の監視が再開される。
【０１１０】
第２のサブプロセス１４０２に関して、時間ベースの基準に関するステップＳ１４１５、Ｓ１４２０、Ｓ１４２５は、リセットなしのバージョンの時間ベースの基準に関する前述したステップＳ１３１５、Ｓ１３２０、Ｓ１３２５と同様であり、ただし、スケジュールがリセットされた場合（ステップ１４１０）には、反復が中断される（ステップＳ１４３０）。中断される場合、処理はステップＳ１２１０に戻る。
【０１１１】
距離ベースの基準に関しても同様に、リセットバージョンの距離ベースの基準のステップＳ１４４０は、リセットなしのバージョンの距離ベースの基準に関するステップＳ１３３５と同様であり、ただし、スケジュールがリセットされた場合（ステップ１４１０）には、反復が中断される（ステップＳ１４４５）。中断される場合、処理はステップ１２１０に戻る。
【０１１２】
第１のサブプロセス１４０１と同時に実行される第２のサブプロセス１４０２は、同様に中断を受ける反復に際して（ステップＳ１４５５）、それぞれの所定の基準１４０３、１４０４が満たされているか監視する（ステップＳ１４５０）。それぞれの所定の基準１４０３、１４０３が満たされると（ステップＳ１４５０）、またはそれと同等に、それぞれステップＳ１４２５またはＳ１４４０での「はい」の分岐に処理が進むと、充電器３１６が差し込まれているどうかクエリが行われる（ステップＳ１４６０）。充電器３１６が「プラグイン」状態でない場合、ユーザ１０５に通知する必要はなく、処理はステップＳ１２０５に戻る。他方、充電器３１６が依然として差し込まれている、すなわち「プラグイン」状態である場合、リマインダの可聴および可視成分が送出する（ステップＳ１４６５）。ここでも、リセットなしのバージョンと同様に、アダプタ３０４が差し込まれているかどうかに関する追加のチェックを任意選択で行うことができる。
【０１１３】
時間ベースの基準１４０３と距離ベースの基準１４０４はそれぞれ、１つまたは複数のボタンやダイヤルなど制御機構の作動によってユーザが調節可能な所定のしきい値、すなわち距離または時間の長さを含むものであることがある。
【０１１４】
ポータブルデバイス充電器用のリマインダシステムは、充電器が置き忘れられそうな可能性が高い時を判断するように設計される。リアルタイムで行うことができる検出は、実施形態に応じて、充電器からのポータブルデバイスの切断、および／または充電器もしくは充電器アダプタのワイヤレス圏外へのポータブルデバイスの移動に関することがある。いくつかの変形形態では、報知の開始は、切断を検出した後、所定の期間の満了など所定の基準が満たされるまで暫定的に延期される。あるいは、基準は、ポータブルデバイスとアダプタまたは充電器との距離に基づく圏外状態の検出とすることができる。いくつかの実施形態では、検出およびリマインダ送出は、プラグイン壁アダプタまたは充電器自体など１つのユニットに組み込まれる。アダプタは、特定の型またはモデルの充電器に特殊化されたものではなく、汎用のものにすることができる。システムは、不快感を生じず、充電器接続ステータス、節電、および停電を見定めることができる。
【０１１５】
ユーザが家から出るときに充電器を持ち忘れるのを防止することに加えて、新規のアダプタは、それ自体の紛失を防止することができ、また、「無負荷」およびフル充電状況で節電シャットダウンを実行することができる。任意選択で、不要なリマインダまたは早まったリマインダをなくすために、節電シャットダウンの状況を停電（場合によっては一時的であることがある）から見分けることを可能にすることもできる。ほとんどのモバイルデバイス充電器と同様に、アダプタは、トラベルアクセサリに適した小さなフォームファクタを有する。さらに、アダプタは、ユーザが家に帰ってきたときには充電器から切断される必要はなく、ユーザが簡便にホームモードに切り替えて、その節電機能を利用することができる。より具体的には、アダプタは、任意の単一の型またはモデルに限定されずに、任意の数の充電器と共に使用されるように汎用のものにすることができるので万能である。任意選択で、ユーザは、例えばパーソナルコンピュータによってウェブサイトに接続して、特定のデバイスの充電プロファイルを選択することができる。次いで、Ｔｈｅｙｔａｚ他の米国特許出願公開第２００８／０００７２１２号に開示されているように、プロファイルがワイヤレスで伝送され、本明細書における文脈では、この伝送はアダプタへのものである。また、消費者が複数のアダプタを購入する必要はないが、代替形態は、様々な充電器に接続したままにするために複数のアダプタを購入することである。これは、その方が使いやすいからであり、また、アダプタがエネルギー節約機能を有するからである。有利には、アダプタは汎用であるので、好都合なことに、多くの小売店で入手することができる。あるいは、実際、上述したように、アダプタは、家またはホテルの部屋の標準の壁コンセントに付属した形で実装することもできる。
【０１１６】
本発明を、図面および前述の説明で詳細に図示して説明してきたが、そのような図示および説明は、限定的なものではなく、例示的または説明的なものとみなすべきである。本発明は、開示した実施形態に限定されない。
【０１１７】
例えば、ワイヤレス通知は、テキストメッセージングに限定されず、音声メールを含むこともある。ワイヤレス通知は、Ｂｌｕｅｔｏｏｔｈ（商標）実施形態、または任意の他の短距離ワイヤレスプロトコルに基づく実施形態に限定されず、時間または距離ベースのしきい値によってトリガされる通知で使用することができ、またはそのような通知を補完することができる。別の例として、アダプタ２０４は、弾性トグルボタン２０８、２１６の一方のみを備えることがある。あるいはまた、アダプタは、上述した小さなフォームファクタの利点を犠牲にして、Ｓｌｕｓｋｙの特許に示されるものなどアラームクロックに組み込むこともできる。そのような実施形態は、任意選択で、壁に対して面一の配置となるようには設計されずに、一端に壁プラグを有するコードを設けることもできる。あるいは、アダプタは、バスなど自動車の充電ソケットに差し込めるように設計することができ、距離または時間しきい値はより低く設定され、それにより、車両から出るときに充電器およびアダプタを携帯するように旅行者に報知することができる。
【０１１８】
図面、本開示、および添付の特許請求の範囲を検討することで、当業者は、特許請求される発明を実施する際に、開示した実施形態に対する他の変形形態を把握して実施することができる。特許請求の範囲において、用語「備える」は、他の要素またはステップを除外せず、単数表記は複数表記を除外しない。特許請求の範囲における任意の参照符号は、範囲を限定するものとみなすべきではない。
【０１１９】
コンピュータプログラムは、光記憶媒体やソリッドステート媒体など適切なコンピュータ可読媒体に、瞬間的に、一時的に、またはより長期間にわたって記憶することができる。そのような媒体は、一時的な伝播信号でないという意味合いでのみ非一時的であり、レジスタメモリ、処理装置キャッシュ、およびＲＡＭなど他の形態のコンピュータ可読媒体を含む。
【０１２０】
単一の処理装置または他のユニットが、特許請求の範囲に記載されるいくつかの項目の機能を満たすことができる。特定の手段が、互いに異なる従属請求項に記載されているということだけでは、これらの計画されたものの組合せを有利に使用できないことを示さない。
【手続補正２】
【補正対象書類名】特許請求の範囲
【補正対象項目名】全文
【補正方法】変更
【補正の内容】
【特許請求の範囲】
【請求項１】
ポータブルデバイス（３２８）を充電するために接続可能なユニットであって、ポータブルデバイスバッテリ充電器（３１６）によって充電可能なバッテリが前記充電器から切断されているときに、前記充電器の置き忘れを防止するように構成され、
前記切断を検出するように構成された検出器（３４４）と、
前記充電器からの前記バッテリの切断の検出に応答して、前記置き忘れを防止するために、リマインダを送出するように構成された通知モジュール（３４８）と
を備えるユニットにおいて、
前記送出が、さらに以下の事象、すなわち、
ａ）前記ユニットと前記ポータブルデバイスとの距離が所定のしきい値を超えたこと（Ｓ１３３５）、および
ｂ）前記充電器からの前記バッテリの切断の前記検出後に始まるある期間が満了したこと（Ｓ１３２５）
の少なくとも一方の事象に応答することを特徴とするユニット。
【請求項２】
請求項１に記載のユニットにおいて、前記ポータブルデバイスが、ハンドヘルドデバイス（３２８）であることを特徴とするユニット。
【請求項３】
ユーザに報知して、それによりバッテリ充電器の置き忘れを防止するように構成され、かつ前記充電器からのポータブルデバイスの切断が行われていることを判断するように構成された回路において、前記回路が、前記切断が行われていることの前記判断に応答して、前記報知の開始を遅延する（Ｓ１３２０）ように構成された通知モジュールを含むことを特徴とする回路。
【請求項４】
請求項３に記載の回路において、前記遅延が、所定の時間長にわたる（Ｓ１３２５）ことを特徴とする回路。
【請求項５】
ポータブルデバイスのバッテリが前記ポータブルデバイス用のバッテリ充電器から切断されているときに、前記充電器の置き忘れを防止するためのコンピュータ可読媒体であって、複数の操作を行うように処理装置によって実行可能な命令（９００）を備えるコンピュータ可読媒体において、前記複数の操作が、
前記製品を構成し、充電のために前記充電器が接続可能なアダプタによって、前記切断を検出する操作と、
前記充電器からの前記バッテリの切断の検出に応答して、前記置き忘れを防止するために、前記アダプタによってリマインダを送出する操作とを備え、
前記送出が、さらに、
ａ）前記ユニットと前記ポータブルデバイスとの距離が所定のしきい値を超えたこと（Ｓ１３３５）、および
ｂ）前記充電器からの前記バッテリの切断の前記検出後に始まるある期間が満了したこと（Ｓ１３２５）
の少なくとも一方の事象に応答することを特徴とするコンピュータ可読媒体。
【請求項６】
ａ）電源コンセントの表面に面する第１のアダプタ表面の、前記コンセント表面に対する位置と、ｂ）第２のアダプタ表面に面するバッテリ充電器の表面の、前記第２のアダプタ表面に対する位置との少なくとも一方に基づいて、それに対応して前記コンセントまたは前記充電器が前記アダプタに接続されているかどうか検出するように構成された係合検出器（３５２）と、
それに対応して前記コンセントまたは前記充電器が前記アダプタに接続されていることの前記検出に応答して、リマインダを送出するように構成された通知モジュールと
を備えることを特徴とするアダプタ。
【請求項７】
壁コンセントアダプタにおいて、デバイスが前記アダプタに差し込まれている状態で、前記デバイスが置き忘れられそうであることを前記デバイスから感知する（Ｓ７４０、Ｓ７７０、Ｓ１２４０、Ｓ１３１０、Ｓ１３４０）ように構成され、
ａ）前記デバイスが置き忘れられそうであることの前記感知に応答して、リマインダを送出すること（Ｓ７５０、Ｓ７６０、Ｓ１２３０〜Ｓ１２７０）、および
ｂ）ポータブルデバイスが前記アダプタから所定の距離を超えてたか判断すること（Ｓ７１０、Ｓ１３３５）
の少なくとも一方を行うように構成されることを特徴とする壁コンセントアダプタ。
【請求項８】
請求項７に記載のアダプタにおいて、前記送出を行うように構成されることを特徴とするアダプタ。
【請求項９】
請求項８に記載のアダプタにおいて、前記感知が、ポータブルデバイスからの前記デバイスの切断の検出（Ｓ７７０、Ｓ１２４０）を含むことを特徴とするアダプタ。
【請求項１０】
請求項９に記載のアダプタにおいて、さらに、前記切断の発生の検出後に、前記送出を遅延する（Ｓ１３２５、Ｓ１３３５）ように構成されることを特徴とするアダプタ。
【請求項１１】
請求項９に記載のアダプタにおいて、切断が検出される前記ポータブルデバイスが、ハンドヘルドデバイス（３２８）であることを特徴とするユニット。
【請求項１２】
請求項７に記載のアダプタにおいて、前記判断を行うように構成されることを特徴とするアダプタ。
【請求項１３】
請求項１に記載のユニットにおいて、前記送出が、前記満了に応答することを特徴とするユニット。
【請求項１４】
請求項１３に記載のユニットにおいて、前記満了前に前記バッテリが前記充電器に再接続された場合に、前記送出の実施を見合わせる（Ｓ１４３０）ようにさらに構成されることを特徴とするユニット。
【請求項１５】
請求項１３に記載のユニットにおいて、さらに、前記期間が、前記ユニットのユーザに対する猶予期間であるように構成され、前記猶予期間内に、前記ユーザが前記送出を妨げる機会を与えられる（Ｓ１４１０）ことを特徴とするユニット。
【請求項１６】
請求項１に記載のユニットにおいて、さらに、前記送出を非作動にさせるためのユーザスイッチ（２２４、９６０）を有するように構成されることを特徴とするユニット。
【請求項１７】
請求項１に記載のユニットにおいて、さらに、アダプタの引抜き（３１２）が前記リマインダを終了させるように設計されたアダプタとして構成されることを特徴とするユニット。
【請求項１８】
請求項１に記載のユニットにおいて、さらに、前記送出を停止するためのユーザスイッチ（９８０）を備えるように構成されることを特徴とするユニット。
【請求項１９】
請求項１に記載のユニットにおいて、前記送出（Ｓ１３４５）が、前記超過に応答することを特徴とするユニット。
【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
ポータブルデバイス（３２８）を充電するために接続可能なユニットであって、ポータブルデバイスバッテリ充電器（３１６）によって充電可能なバッテリが前記充電器から切断されているときに、前記充電器の置き忘れを防止するように構成され、
前記切断を検出するように構成された検出器（３４４）と、
前記充電器からの前記バッテリの切断の検出に応答して、前記置き忘れを防止するために、リマインダを送出するように構成された通知モジュール（３４８）とを備えるユニットにおいて、
前記ユニットが、前記送出がさらに以下の事象、すなわち、
ａ）前記ユニットと前記ポータブルデバイスとの距離が所定のしきい値を超えたこと（Ｓ１３３５）、および
ｂ）前記充電器からの前記バッテリの切断の前記検出後に始まるある期間が満了したこと（Ｓ１３２５）
の少なくとも一方の事象に応答することを特徴とするユニット。
【請求項２】
請求項１に記載のユニットにおいて、さらに、充電のために前記充電器が接続可能なアダプタとして構成され、前記アダプタの引抜き（３１２）が前記リマインダを終了させるように設計されることを特徴とするユニット。
【請求項３】
請求項１に記載のユニットにおいて、前記切断が、前記バッテリが前記充電器から切断される切断事象によって行われ、前記検出が、前記事象にリアルタイムで応答する（Ｓ１２３０〜Ｓ１２５０）ことを特徴とするユニット。
【請求項４】
請求項１に記載のユニットにおいて、前記検出に対する前記送出の応答が自動であり、ユーザ介入を必要としないことを特徴とするユニット。
【請求項５】
請求項１に記載のユニットにおいて、ハウジングを備え、前記ハウジングの縁部の丸みを含むトラベルアクセサリフォームファクタを有するように構成されることを特徴とするユニット。
【請求項６】
請求項１に記載のユニットにおいて、トラベル動作モードと、別の動作モードとを有するように構成されることを特徴とするユニット。
【請求項７】
請求項６に記載のユニットにおいて、前記トラベルモードが前記送出のためのものであり、前記ユニットがさらに、前記トラベルモードと、前記別のモードとしてのホーム動作モードとの間の切替えのためのユーザスイッチ（２２４、９６０）を備え、前記ホーム動作モードに関して、前記送出が非作動にされることを特徴とするユニット。
【請求項８】
請求項１に記載のユニットにおいて、前記送出が、前記満了に応答することを特徴とするユニット。
【請求項９】
請求項８に記載のユニットにおいて、前記期間が所定の長さである（Ｓ１３２５）ことを特徴とするユニット。
【請求項１０】
請求項８に記載のユニットにおいて、前記検出後であるが前記満了前に前記バッテリが前記充電器に再接続された場合に、前記送出の実施を見合わせる（Ｓ１４３０）ようにさらに構成されることを特徴とするユニット。
【請求項１１】
請求項８に記載のユニットにおいて、さらに、前記期間が、前記ユニットのユーザに対する猶予期間であるように構成され、前記猶予期間内に、前記ユーザが前記送出を妨げる機会を与えられる（Ｓ１４１０）ことを特徴とするユニット。
【請求項１２】
請求項８に記載のユニットにおいて、前記充電器を備えることを特徴とするユニット。
【請求項１３】
請求項８に記載のユニットにおいて、前記ユニット外部とのワイヤレス通信を必要とせずに、前記検出に対する前記送出による応答を行うように構成されることを特徴とするユニット。
【請求項１４】
請求項１に記載のユニットにおいて、さらに、前記送出を停止するためのユーザスイッチ（９８０）を備えることを特徴とするユニット。
【請求項１５】
請求項１４に記載のユニットにおいて、前記スイッチが手動スイッチであることを特徴とするユニット。
【請求項１６】
ユーザに報知し、それにより、バッテリ充電器を置き忘れるのを防止するように、また、前記充電器からのポータブルデバイスの切断が行われていることを判断するように構成された回路において、切断が行われているという前記判断に応答して、前記報知の開始を遅延する（Ｓ１３２０）ように構成された通知モジュールを含むことを特徴とする回路。
【請求項１７】
請求項３６に記載の回路において、前記遅延が、所定の時間長にわたる（Ｓ１３２５）ことを特徴とする回路。
【請求項１８】
ポータブルデバイスのバッテリが前記ポータブルデバイス用のバッテリ充電器から切断されているときに、前記充電器の置き忘れを防止するためのコンピュータ可読媒体であって、複数の操作を行うように処理装置によって実行可能な命令（９００）を備えるコンピュータ可読媒体において、前記複数の操作が、
前記製品を構成し、充電のために前記充電器が接続可能なアダプタによって、前記切断を検出する操作と、
前記充電器からの前記バッテリの切断の検出に応答して、前記置き忘れを防止するために、前記アダプタによってリマインダを送出する操作とを備え、
前記送出が、さらに以下の事象、すなわち、
ａ）前記ユニットと前記ポータブルデバイスとの距離が所定のしきい値を超えたこと（Ｓ１３３５）、および
ｂ）前記充電器からの前記バッテリの切断の前記検出後に始まるある期間が満了したこと（Ｓ１３２５）
の少なくとも一方の事象に応答することを特徴とするコンピュータ可読媒体。
【請求項１９】
壁コンセントアダプタにおいて、デバイスが前記アダプタに差し込まれている状態で、前記デバイスが置き忘れられそうであることを前記デバイスから感知する（Ｓ７４０、Ｓ７７０、Ｓ１２４０、Ｓ１３１０、Ｓ１３４０）ように構成され、
ａ）前記デバイスが置き忘れられそうであることの前記感知に応答して、リマインダを送出すること（Ｓ７５０、Ｓ７６０、Ｓ１２３０〜Ｓ１２７０）、および
ｂ）ポータブルデバイスが前記アダプタから所定の距離を超えているか判断すること（Ｓ７１０、Ｓ１３３５）
の少なくとも一方を行うように構成され、
前記感知が、ｉ）前記デバイスに流れる電流の変化を感知すること、およびｉｉ）前記アダプタと前記デバイスの間の係合を感知すること（Ｓ７４０）の少なくとも一方を備える
ことを特徴とする壁コンセントアダプタ。
【国際調査報告】
2013537008.tif 000026
2013537008.tif 000027